(57)【要約】【課題】本発明は、簡易な構成でＲＦＩＤタグの交信状態を可逆的に切り替えることができる切替装置、及び報知装置の提供を目的とした。【解決手段】本発明の格納容器１０は、ＲＦＩＤタグ２２を備える表示板２０と、電波を遮断可能な遮断領域３２を形成する容器本体３０とを有し、容器本体３０と表示板２０との相対位置が変化可能であり、容器本体３０と表示板２０との相対位置を変化させることにより、ＲＦＩＤタグ２２が遮断領域３２に配置されるとともに遮断領域３２が閉塞されてＲＦＩＤタグ２２の交信が遮断される交信不能状態と、ＲＦＩＤタグ２２の交信が可能となる交信可能状態とを切り替え可能であることを特徴とする。【選択図】図１
2019108782.tif 000002
【特許請求の範囲】
【請求項１】
ＲＦＩＤタグを備える標識体と、
電波を遮断可能な遮断領域を形成する遮断体とを有し、
前記遮断体と前記標識体との相対位置が変化可能であり、
前記遮断体と前記標識体との相対位置を変化させることにより、前記ＲＦＩＤタグが前記遮断領域に配置されて前記ＲＦＩＤタグの交信が遮断される交信不能状態と、前記ＲＦＩＤタグの交信が可能となる交信可能状態とを切り替え可能であることを特徴とする切替装置。
【請求項２】
前記遮断体が、
前記遮断領域から外部へ連通する開口を備える格納体と、
前記開口を閉塞可能とする閉塞体とを備え、
前記閉塞体により前記開口が閉塞されると、電波が遮断された前記遮断領域が形成されることを特徴とする請求項１に記載の切替装置。
【請求項３】
ＲＦＩＤタグを備える標識体と、
電波を遮断可能な遮断領域を形成する遮断体とを有し、
前記遮断体が、
前記遮断領域から外部へ連通する開口を備える格納体を備え、
前記標識体が、前記格納体に対して出し入れ可能であり、
前記格納体に対して前記標識体を出し入れすることにより、前記ＲＦＩＤタグが前記遮断領域に配置されて前記ＲＦＩＤタグの交信が遮断される交信不能状態と、前記ＲＦＩＤタグが前記遮断領域から外れた位置となり前記ＲＦＩＤタグの交信が可能となる交信可能状態とを切り替え可能であることを特徴とする切替装置。
【請求項４】
一又は複数のＲＦＩＤタグを備える標識体と、
電波を遮断可能な遮断領域を形成する遮断体とを有し、
前記遮断体が、
前記遮断領域から外部へ連通する開口を備える格納体を備え、
前記標識体が、前記格納体に対して変位可能であり、
前記格納体に対して前記標識体を変位させることにより、電波が遮断された状態の前記遮断領域に一の前記ＲＦＩＤタグが配置されて当該ＲＦＩＤタグの交信が遮断される交信不能状態と、当該ＲＦＩＤタグの交信が可能となる交信可能状態とを切り替え可能であることを特徴とする切替装置。
【請求項５】
ＲＦＩＤタグを備える標識体と、
電波を遮断可能な遮断領域を形成する遮断体とを有し、
前記遮断体が、
前記遮断領域から外部へ連通する開口を備える格納体と、
前記開口を閉塞可能とする閉塞体とを備え、
前記閉塞体が、前記標識体に設けられたものであり、
前記標識体が、前記格納体に対して出し入れ可能であり、
前記格納体に対して前記標識体を出し入れすることにより、前記ＲＦＩＤタグが前記遮断領域に配置されるとともに前記開口が前記閉塞体に閉塞されて前記ＲＦＩＤタグの交信が遮断される交信不能状態と、前記閉塞体が前記開口から外れた位置となり前記ＲＦＩＤタグの交信が可能となる交信可能状態とを切り替え可能であることを特徴とする切替装置。
【請求項６】
ＲＦＩＤタグを備える標識体と、
電波を遮断可能な遮断領域を形成する遮断体とを有し、
前記遮断体が、
前記遮断領域から外部へ連通する開口を備える格納体と、
前記開口を閉塞可能とする閉塞体とを備え、
前記標識体が前記格納体に設けられ、前記ＲＦＩＤタグが前記遮断領域に配置されているものであり、
前記閉塞体が、前記格納体に対して変位可能であり、
前記格納体に対して前記閉塞体を変位させることにより、前記開口が前記閉塞体に閉塞されて前記ＲＦＩＤタグの交信が遮断される交信不能状態と、前記閉塞体が前記開口から外れた位置となり前記ＲＦＩＤタグの交信が可能となる交信可能状態とを切り替え可能であることを特徴とする切替装置。
【請求項７】
前記格納体に対して突出及び後退可能とされた進退部を備え、
前記格納体に対して前記進退部を突出させた状態において施錠状態とされ、前記格納体に対して前記進退部を後退させた状態において解錠状態とされる施錠装置を構成するものであり、
前記閉塞体が、前記進退部と連結されており、
前記閉塞体の変位に伴って前記進退部が変位して、前記解錠状態及び前記施錠状態の切り替えに連動して前記交信不能状態及び前記交信可能状態の切り替えが行われることを特徴とする請求項６に記載の切替装置。
【請求項８】
ＲＦＩＤタグを備える標識体と、
電波を遮断可能な遮断領域を形成する遮断体と、
施錠装置を構成する係止体とを有し、
前記遮断体が、
前記遮断領域から外部へ連通する開口を備える格納体を備えるものであり、
前記係止体が、前記格納体に対して変位可能とされており、
前記格納体に対して前記係止体を変位させることにより、解錠状態と施錠状態とを切り替えることができる施錠装置を構成するものであり、
前記格納体に対する前記係止体の相対位置が変化すると、前記解錠状態及び前記施錠状態の切り替えに連動して、前記ＲＦＩＤタグが前記遮断領域に配置されて前記ＲＦＩＤタグの交信が遮断される交信不能状態と、前記ＲＦＩＤタグの交信が可能となる交信可能状態とが切り替えられることを特徴とする切替装置。
【請求項９】
前記ＲＦＩＤタグが、読取り装置から送信される電波を動力源として作動するパッシブ型ＲＦＩＤタグであることを特徴とする請求項１〜８のいずれかに記載の切替装置。
【請求項１０】
前記標識体には、視認可能とされた表示が設けられたものであり、
前記交信不能状態及び前記交信可能状態の切り替えに連動して、前記表示が表示される状態と表示されない状態とが切り替えられることを特徴とする請求項１〜９のいずれかに記載の切替装置。
【請求項１１】
前記表示が、文字、あるいは図形により所定の情報を伝達可能なものであることを特徴とする請求項１０に記載の切替装置。
【請求項１２】
ＲＦＩＤタグを備える標識体と、電波を遮断可能な遮断領域を形成する遮断体とを備える切替装置と、
前記ＲＦＩＤタグからの信号を受信する読取り装置と、
前記読取り装置が受信した信号に基づいて所定の情報を報知する報知装置とを有し、
前記遮断体が、
前記遮断領域から外部へ連通する開口を備える格納体を備え、
前記切替装置が、
前記格納体に対して前記標識体を出し入れ可能であり、
前記格納体に対して前記標識体を出し入れすることにより、前記ＲＦＩＤタグが前記遮断領域に配置されて前記ＲＦＩＤタグの交信が遮断される交信不能状態と、前記ＲＦＩＤタグが前記遮断領域から外れた位置となり前記ＲＦＩＤタグの交信が可能となる交信可能状態とを切り替え可能であり、
前記交信不能状態及び前記交信可能状態の切り替えに伴い、前記報知装置により報知される報知情報が切り替えられることを特徴とする報知システム。
【請求項１３】
ＲＦＩＤタグを備える標識体と、電波を遮断可能な遮断領域を形成する遮断体とを備える切替装置と、
前記ＲＦＩＤタグからの信号を受信する読取り装置と、
前記読取り装置が受信した信号に基づいて所定の情報を報知する報知装置とを有し、
前記遮断体が、
前記遮断領域から外部へ連通する開口を備える格納体と、
前記開口を閉塞可能とする閉塞体とを備え、
前記切替装置が、
前記閉塞体により前記開口が閉塞されると、電波が遮断された前記遮断領域が形成されるものであり、
前記遮断体又は前記閉塞体と前記標識体との相対位置が変化可能であり、
前記遮断体又は前記閉塞体と前記標識体との相対位置を変化させることにより、前記開口が前記閉塞体に閉塞されて前記ＲＦＩＤタグの交信が遮断される交信不能状態と、前記閉塞体が前記開口から外れた位置となり前記ＲＦＩＤタグの交信が可能となる交信可能状態とを切り替え可能であり、
前記交信不能状態及び前記交信可能状態の切り替えに伴い、前記報知装置により報知される報知情報が切り替えられることを特徴とする報知システム。
【請求項１４】
前記標識体には、視認可能とされた表示が設けられたものであり、
前記交信不能状態及び前記交信可能状態の切り替えに連動して、前記表示が表示される状態と表示されない状態とが切り替えられるとともに、前記報知情報が切り替えられることを特徴とする請求項１２又は１３に記載の報知システム。
【発明の詳細な説明】
【技術分野】
【０００１】
本発明は、ＲＦＩＤタグを活用した切替装置、及び報知装置に関する。
【背景技術】
【０００２】
従来、様々な業界において、ＲＦＩＤ（ｒａｄｉｏ  ｆｒｅｑｕｅｎｃｙ  ｉｎｄｅｎｔｉｆｉｅｒ）が活用されている。「ＲＦＩＤ」とは、電波などを用いた無線通信によって、ＩＤ情報を埋め込んだタグ（ＲＦＩＤタグ）とＲＦＩＤリーダーやＲＦＩＤライター等とで情報のやりとりを行う技術である。近年では、ＲＦＩＤタグは広く活用されており、量産による効果で価格は低廉となっている。ＲＦＩＤタグは電波により交信を行い、直接視認できない隠れた場所にあっても機能するため、その活用範囲は広範囲に及ぶ。近年では、ＲＦＩＤタグの小型化や量産化が進み、ＲＦＩＤの活用範囲はさらに広がりつつある。例えば、ＲＦＩＤタグを製品に取り付けて在庫管理などに活用することが様々な業界において行われている。
【０００３】
ここで、ＲＦＩＤを活用するに際し、適用しようとする内容によっては、ＲＦＩＤタグをＲＦＩＤリーダー（読取り装置）との交信のオン及びオフを切り替え可能とすることが望ましい。ＲＦＩＤタグは、アンテナブロック、制御回路ブロック、メモリーブロック等で構成されている。また、これらのブロック間の接続回路を接続および切断するスイッチが設けられたＲＦＩＤタグにおいて、交信機能のオン及びオフの切り替えを可逆的に行う方法がある。しかしながら、スイッチ機能付のＲＦＩＤタグは、スイッチ機能を有しない通常のＲＦＩＤタグとはことなる製造工程を要する。そのため、スイッチ機能付のＲＦＩＤタグは、単価が高価格であり、実装するに際して電気配線の工程が必要となり、総合的なコストも増加する。
【０００４】
下記特許文献１には、ＲＦＩＤを医療分野に適用した技術として、医療機器が使用されたか否かを簡便かつ確実に検知可能とする医療用機器あるいは医療用材料の包装容器が開示されている。特許文献１の包装容器は、ＲＦＩＤタグを備え、当該ＲＦＩＤタグのアンテナパターンと包装容器の開封の際の断絶線とが交わるように配置されている。また、特許文献１に記載された発明では、包装容器が開封された際にアンテナパターンが断絶されることでＲＦＩＤタグの交信を不能とし、包装容器が開封されたか否かを判断して医療用機器あるいは医療用材料が使用されたか否かを管理することができるとされている。
【先行技術文献】
【特許文献】
【０００５】
【特許文献１】特願２００７−２１５９５７
【発明の概要】
【発明が解決しようとする課題】
【０００６】
特許文献１の包装容器は、アンテナパターンが破綻されたか否かの検知に関して、スイッチ接点を介して行われるものではないため、スイッチの接点不良などに起因する不具合は生じない。また、特許文献１の包装容器では、包装容器が開封されていない状態ではＲＦＩＤタグのアンテナパターンが破断されておらず、ＲＦＩＤタグとＲＦＩＤリーダー等とが通信可能な状態とされている。また、特許文献１の包装容器では、包装容器が開封された際にアンテナパターンが破断され、ＲＦＩＤタグがＲＦＩＤリーダーと通信ができない状態とされる。言い換えれば、特許文献１の包装容器では、電気的スイッチを設けずに、ＲＦＩＤタグを通信可能な状態から通信不能な状態へと、「不可逆的」に一度の切り替えを行うことができるに過ぎず、使用できる回数が一度に限定される上に適用範囲も限られる。
【０００７】
その一方で、ＲＦＩＤタグを通信可能な状態と通信不能な状態とを「可逆的」に切り替えを可能とするため、上述のようなスイッチ機能付きのＲＦＩＤタグを設けた場合、スイッチの接点不良に起因する不具合が想定される。
【０００８】
そこで本発明は、簡易な構成でＲＦＩＤタグの交信状態を可逆的に切り替えることができる切替装置、及び報知装置の提供を目的とした。
【課題を解決するための手段】
【０００９】
上述の課題を解決すべく提供される本発明の切替装置は、ＲＦＩＤタグを備える標識体と、電波を遮断可能な遮断領域を形成する遮断体とを有し、前記遮断体と前記標識体との相対位置が変化可能であり、前記遮断体と前記標識体との相対位置を変化させることにより、前記ＲＦＩＤタグが前記遮断領域に配置されて前記ＲＦＩＤタグの交信が遮断される交信不能状態と、前記ＲＦＩＤタグの交信が可能となる交信可能状態とを切り替え可能であることを特徴とするものである。
【００１０】
本発明の切替装置によれば、標識体と遮断体との相対位置を変化させることにより、ＲＦＩＤタグの交信が遮断される状態（交信不能状態）と、交信が可能となる状態（交信可能状態）とを切り替える（交信状態の切り替え）ことができる。すなわち、本発明の切替装置によれば、標識体と遮断体との相対位置を変化させる機械的な動作により、ＲＦＩＤタグの交信状態を切り替えることができる。このように、本発明の切替装置によれば、電気的なスイッチなどの構成によらず、簡易な構成でＲＦＩＤタグの交信状態を可逆的に切り替えることができる。
【００１１】
本発明の切替装置は、前記遮断体が、前記遮断領域から外部へ連通する開口を備える格納体と、前記開口を閉塞可能とする閉塞体とを備え、前記閉塞体により前記開口が閉塞されると、電波が遮断された前記遮断領域が形成されるものであってもよい。
【００１２】
上述の構成によれば、標識体を遮断領域に配置させた上で開口を閉塞及び開放することにより遮断領域の電波が遮断された状態と電波が遮断されていない状態とを切り替えて、ＲＦＩＤタグの交信状態の切り替えを行うことができる。すなわち、本発明の切替装置によれば、電気的なスイッチなどの構成によらず、簡易な構成でＲＦＩＤタグの交信状態を可逆的に切り替えることができる。
【００１３】
本発明の切替装置は、ＲＦＩＤタグを備える標識体と、電波を遮断可能な遮断領域を形成する遮断体とを有し、前記遮断体が、前記遮断領域から外部へ連通する開口を備える格納体を備え、前記標識体が、前記格納体に対して出し入れ可能であり、前記格納体に対して前記標識体を出し入れすることにより、前記ＲＦＩＤタグが前記遮断領域に配置されて前記ＲＦＩＤタグの交信が遮断される交信不能状態と、前記ＲＦＩＤタグが前記遮断領域から外れた位置となり前記ＲＦＩＤタグの交信が可能となる交信可能状態とを切り替え可能であることを特徴とするものである。
【００１４】
本発明の切替装置によれば、標識体を格納体に対して出し入れする簡単な動作により、ＲＦＩＤタグの交信状態の切り替えを行うことができる。すなわち、本発明の切替装置によれば、電気的なスイッチなどの構成によらず、簡易な構成でＲＦＩＤタグの交信状態を可逆的に切り替えることができる。
【００１５】
本発明の切替装置は、一又は複数のＲＦＩＤタグを備える標識体と、電波を遮断可能な遮断領域を形成する遮断体とを有し、前記遮断体が、前記遮断領域から外部へ連通する開口を備える格納体を備え、前記標識体が、前記格納体に対して変位可能であり、前記格納体に対して前記標識体を変位させることにより、電波が遮断された状態の前記遮断領域に一の前記ＲＦＩＤタグが配置されて当該ＲＦＩＤタグの交信が遮断される交信不能状態と、当該ＲＦＩＤタグの交信が可能となる交信可能状態とを切り替え可能であることを特徴とするものである。
【００１６】
本発明の切替装置によれば、標識体を格納体に対して変位させることにより、一のＲＦＩＤタグの交信状態の切り替えを行うことができる。すなわち、本発明の切替装置によれば、電気的なスイッチなどの構成によらず、簡易な構成でＲＦＩＤタグの交信状態を可逆的に切り替えることができる。
【００１７】
本発明の切替装置は、ＲＦＩＤタグを備える標識体と、電波を遮断可能な遮断領域を形成する遮断体とを有し、前記遮断体が、前記遮断領域から外部へ連通する開口を備える格納体と、前記開口を閉塞可能とする閉塞体とを備え、前記閉塞体が、前記標識体に設けられたものであり、前記標識体が、前記格納体に対して出し入れ可能であり、前記格納体に対して前記標識体を出し入れすることにより、前記ＲＦＩＤタグが前記遮断領域に配置されるとともに前記開口が前記閉塞体に閉塞されて前記ＲＦＩＤタグの交信が遮断される交信不能状態と、前記閉塞体が前記開口から外れた位置となり前記ＲＦＩＤタグの交信が可能となる交信可能状態とを切り替え可能であることを特徴とするものである。
【００１８】
本発明の切替装置によれば、標識体を格納体に対して出し入れすることにより、ＲＦＩＤタグの交信状態の切り替えを行うことができる。すなわち、本発明の切替装置によれば、電気的なスイッチなどの構成によらず、簡易な構成でＲＦＩＤタグの交信状態を可逆的に切り替えることができる。
【００１９】
本発明の切替装置は、ＲＦＩＤタグを備える標識体と、電波を遮断可能な遮断領域を形成する遮断体とを有し、前記遮断体が、前記遮断領域から外部へ連通する開口を備える格納体と、前記開口を閉塞可能とする閉塞体とを備え、前記標識体が前記格納体に設けられ、前記ＲＦＩＤタグが前記遮断領域に配置されているものであり、前記閉塞体が、前記格納体に対して変位可能であり、前記格納体に対して前記閉塞体を変位させることにより、前記開口が前記閉塞体に閉塞されて前記ＲＦＩＤタグの交信が遮断される交信不能状態と、前記閉塞体が前記開口から外れた位置となり前記ＲＦＩＤタグの交信が可能となる交信可能状態とを切り替え可能であることを特徴とするものである。
【００２０】
本発明の切替装置によれば、閉塞体を格納体に対して変位させることにより、ＲＦＩＤタグの交信状態の切り替えを行うことができる。すなわち、本発明の切替装置によれば、電気的なスイッチなどの構成によらず、簡易な構成でＲＦＩＤタグの交信状態を可逆的に切り替えることができる。
【００２１】
本発明の切替装置は、前記格納体に対して突出及び後退可能とされた進退部を備え、前記格納体に対して前記進退部を突出させた状態において施錠状態とされ、前記格納体に対して前記進退部を後退させた状態において解錠状態とされる施錠装置を構成するものであり、前記閉塞体が、前記進退部と連結されており、前記閉塞体の変位に伴って前記進退部が変位して、前記解錠状態及び前記施錠状態の切り替えに連動して前記交信不能状態及び前記交信可能状態の切り替えが行われるものであってもよい。
【００２２】
上述の構成によれば、施錠装置の施錠状態及び解錠状態の動作に連動して、ＲＦＩＤタグの交信状態の切り替えを行うことができる。
【００２３】
本発明の切替装置は、ＲＦＩＤタグを備える標識体と、電波を遮断可能な遮断領域を形成する遮断体と、施錠装置を構成する係止体とを有し、前記遮断体が、前記遮断領域から外部へ連通する開口を備える格納体を備えるものであり、前記係止体が、前記格納体に対して変位可能とされており、前記格納体に対して前記係止体を変位させることにより、解錠状態と施錠状態とを切り替えることができる施錠装置を構成するものであり、前記格納体に対する前記係止体の相対位置が変化すると、前記解錠状態及び前記施錠状態の切り替えに連動して、前記ＲＦＩＤタグが前記遮断領域に配置されて前記ＲＦＩＤタグの交信が遮断される交信不能状態と、前記ＲＦＩＤタグの交信が可能となる交信可能状態とが切り替えられることを特徴とするものである。
【００２４】
上述の構成によれば、施錠装置の施錠状態及び解錠状態の動作に連動して、ＲＦＩＤタグの交信状態の切り替えを行うことができる。
【００２５】
また、本発明の切替装置は、鉄道駅、空港、競技場など、不特定多数の利用者が集まる施設のトイレ個室の施錠装置として好適に活用することができる。ここで、このような施設は、警備対象として重要である。具体的には、このような人が集まる施設では、不特定多数の利用者をターゲットとするテロリズム対策として、周囲の視線から隔絶された空間での動作を監視することが望ましい。その一方、社会通念上、トイレ個室に視覚センサーを設けて監視することは敬遠される。しかしながら、不自然なまでに長時間にわたるトイレ個室のロック状態は、テロリズムのみならず、重病人発生という事態も懸念される。本発明の切替装置を施錠装置として用いれば、既存のドアであってもロック機能に加え、「使用中」か「空き」かの表示の切り替えを行うことができる。また、後述する報知システムの切替装置を施錠装置としての機能を有するものとすれば、施錠状態であるか解錠状態であるかを検知してトイレ個室とは離れた場所において当該状態を表示することが可能となる。
【００２６】
本発明の切替装置は、前記ＲＦＩＤタグが、読取り装置から送信される電波を動力源として作動するパッシブ型ＲＦＩＤタグであることが望ましい。
【００２７】
上述の構成によれば、ＲＦＩＤリーダー（読取り装置）からの電波を動力源として、ＲＦＩＤタグを作動させることができる。言い換えれば、上述の構成によれば、ＲＦＩＤタグにバッテリーを設ける必要や動力源に接続するための構成を設ける必要がなく、ＲＦＩＤのバッテリー交換などのメンテナンスを行う必要がない。その結果、本発明の切替装置は、取り付けられる場所を選ばず、多様な場所や状況で作動させることができ、適用範囲をさらに拡大することができる。
【００２８】
本発明の切替装置は、前記標識体には、視認可能とされた表示が設けられたものであり、前記交信不能状態及び前記交信可能状態の切り替えに連動して、前記表示が表示される状態と表示されない状態とが切り替えられるものであることが望ましい。
【００２９】
上述の構成によれば、ＲＦＩＤタグの交信状態に連動して、文字や図形など視認可能な表示を表示させ、あるいは非表示とすることができる。
【００３０】
また、本発明の切替装置は、前記表示が、文字、あるいは図形により所定の情報を伝達可能なものであることが望ましい。
【００３１】
上述の構成によれば、ＲＦＩＤタグの交信状態に連動して文字などを表示又は非表示とし、当該表示が表示されているか否かに基づいて、所定の情報を伝達することができる。
【００３２】
本発明の報知システムは、ＲＦＩＤタグを備える標識体と、電波を遮断可能な遮断領域を形成する遮断体とを備える切替装置と、前記ＲＦＩＤタグからの信号を受信する読取り装置と、前記読取り装置が受信した信号に基づいて所定の情報を報知する報知装置とを有し、前記遮断体が、前記遮断領域から外部へ連通する開口を備える格納体を備え、前記切替装置が、前記格納体に対して前記標識体を出し入れ可能であり、前記格納体に対して前記標識体を出し入れすることにより、前記ＲＦＩＤタグが前記遮断領域に配置されて前記ＲＦＩＤタグの交信が遮断される交信不能状態と、前記ＲＦＩＤタグが前記遮断領域から外れた位置となり前記ＲＦＩＤタグの交信が可能となる交信可能状態とを切り替え可能であり、前記交信不能状態及び前記交信可能状態の切り替えに伴い、前記報知装置により報知される報知情報が切り替えられることを特徴とするものである。
【００３３】
本発明の報知システムによれば、ＲＦＩＤタグの交信状態の切り替えに連動して、所定の情報を報知することができる。すなわち、本発明の報知システムによれば、切替装置が設けられた場所において簡単な動作によりＲＦＩＤタグの交信状態の切り替えを可能としつつ、ＲＦＩＤタグが交信不能状態であるか交信可能状態であるかに基づいて、切替装置が設けられた場所とは異なる場所において所定の情報を報知することができる。
【００３４】
切替装置を在庫スペースなどに設けて本発明の報知システムを在庫管理に活用する場合を例に挙げて説明すると、作業者が在庫スペースに在庫されている商品が少ないことに気付いた場合には、当該作業者が標識体又は遮断体の相対位置を変化させて、ＲＦＩＤタグの交信状態の切り替えを行うことができる。また、ＲＦＩＤタグの交信状態を読取り装置が検知することに基づいて、報知装置に「商品の補充が必要であること」などの報知情報を表示させるなどの報知を行うものとすれば、効率的な在庫管理を行い得る。
【００３５】
本発明の報知システムは、ＲＦＩＤタグを備える標識体と、電波を遮断可能な遮断領域を形成する遮断体とを備える切替装置と、前記ＲＦＩＤタグからの信号を受信する読取り装置と、前記読取り装置が受信した信号に基づいて所定の情報を報知する報知装置とを有し、前記遮断体が、前記遮断領域から外部へ連通する開口を備える格納体と、前記開口を閉塞可能とする閉塞体とを備え、前記切替装置が、前記閉塞体により前記開口が閉塞されると、電波が遮断された前記遮断領域が形成されるものであり、前記遮断体又は前記閉塞体と前記標識体との相対位置が変化可能であり、前記遮断体又は前記閉塞体と前記標識体との相対位置を変化させることにより、前記開口が前記閉塞体に閉塞されて前記ＲＦＩＤタグの交信が遮断される交信不能状態と、前記閉塞体が前記開口から外れた位置となり前記ＲＦＩＤタグの交信が可能となる交信可能状態とを切り替え可能であり、前記交信不能状態及び前記交信可能状態の切り替えに伴い、前記報知装置により報知される報知情報が切り替えられることを特徴とするものである。
【００３６】
本発明の報知システムによれば、ＲＦＩＤタグの交信状態の切り替えに連動して、所定の情報を報知することができる。すなわち、本発明の報知システムによれば、切替装置が設けられた場所において簡単な動作によりＲＦＩＤタグの交信状態の切り替えを可能としつつ、ＲＦＩＤタグが交信不能状態であるか交信可能状態であるかに基づいて、切替装置が設けられた場所とは異なる場所において所定の情報を報知することができる。
【００３７】
本発明の報知システムは、前記標識体には、視認可能とされた表示が設けられたものであり、前記交信不能状態及び前記交信可能状態の切り替えに連動して、前記表示が表示される状態と表示されない状態とが切り替えられるとともに、前記報知情報が切り替えられるものであってもよい。
【００３８】
上述の構成によれば、切替装置が設けられた場所においてＲＦＩＤタグの交信状態の切り替えに連動して視認可能な情報として表示させ、さらに当該情報と連動した報知情報を報知装置により報知することができる。言い換えれば、本発明の報知システムによれば、切替装置が設けられた場所において所定の内容を表示させて複数の者で当該情報を共有することができることに加え、切替装置が設けられた場所から離れた場所において所定の情報を報知して、他の者が情報を把握することができる。
【００３９】
本発明の切替装置は、パッシブ型を含む１個以上のＲＦＩＤタグを可逆的に出し入れが自在であり、格納時にはＲＦＩＤタグに対して電波遮蔽性を有することを特徴とするＲＦＩＤタグ格納容器であってもよい。
【００４０】
本発明の切替装置は、ＲＦＩＤタグが遮蔽容器部分から出されてアクティブな状態になる際には、ＲＦＩＤタグがアクティブな状態が表すシステム運用上の機能または事象を可逆的に表示し目視可能とすることを特徴とするＲＦＩＤタグ格納容器であってもよい。
【００４１】
本発明の切替装置は、ＲＦＩＤタグが遮蔽容器部分に収納されて非アクティブな状態になる際には、ＲＦＩＤタグが非アクティブな状態が表すシステム運用上の機能または事象を可逆的に表示し目視可能とすることを特徴とするＲＦＩＤタグ格納容器であってもよい。
【００４２】
本発明の切替装置は、複数ＲＦＩＤタグのアクティブ状態と非アクティブ状態を個別に切り替えることでシステムに任意の情報を通達するとともに、その状態がシステム運用上もつ機能または事象を表示し目視可能とすることを特徴とするＲＦＩＤタグ格納容器であってもよい。
【００４３】
本発明の切替装置は、請求項１〜３のいずれかに記載の格納容器において、複数ＲＦＩＤタグのアクティブ状態と非アクティブ状態を互いに連動して切り替えることでシステムに任意の情報を通達するとともに、その状態がシステム運用上もつ機能または事象を表示し目視可能とすることを特徴とするＲＦＩＤタグ格納容器であってもよい。
【００４４】
本発明の切替装置は、上述した格納容器に機械的ロック機構を加え、施錠および開錠状態を提供すると同時にＲＦＩＤタグのアクティブ状態、非アクティブ状態を切り替える機構を備え、ロック状態を目視可能とすることを特徴とするＲＦＩＤタグ格納容器であってもよい。
【発明の効果】
【００４５】
本発明によれば、簡易な構造でＲＦＩＤタグの交信状態を可逆的に切り替えることができる切替装置、及び報知装置を提供することができる。
【図面の簡単な説明】
【００４６】
【図１】本発明の第一実施形態に係る格納容器を示す斜視図である。
【図２】本発明の第二実施形態に係る格納容器を示す斜視図である。
【図３】本発明の第三実施形態に係る格納容器を示す斜視図である。
【図４】本発明の第四実施形態に係る格納容器を示す斜視図である。
【図５】本発明の第五実施形態に係る格納容器を示す斜視図である。
【図６】図１の格納容器の動作、及び図１の格納容器を備える報知システムを示している。（ａ）は交信不能状態、（ｂ）は交信可能状態を示している。
【図７】図２の格納容器の動作を示している。（ａ）は一のＲＦＩＤが交信不能状態とされた場合、（ｂ）は当該ＲＦＩＤが交信可能状態とされた場合を示している。
【図８】図３の格納容器の動作を示している。（ａ）は交信不能状態、（ｂ）は交信可能状態を示している。
【図９】図４の格納容器の動作を示している。（ａ）は交信不能状態、（ｂ）は交信可能状態を示している。
【図１０】図５の格納容器の動作、及び図５の格納容器を備える報知システムを示している。（ａ）は交信不能状態、（ｂ）は交信可能状態を示している。
【図１１】本発明の第六実施形態に係る格納容器を示している。（ａ）は交信不能状態、（ｂ）は交信可能状態を示している。
【図１２】図１１の格納容器の変形例を示す分解図である。
【図１３】図１２の格納容器を示している。（ａ）は交信不能状態、（ｂ）は交信可能状態を示している。
【発明を実施するための形態】
【００４７】
以下、本発明の実施形態に係る切替装置、及び報知装置について図面を参照しつつ説明する。
【００４８】
本発明は、ＲＦＩＤタグがアクティブ状態であることをヒトが視認しやすいように印付けすると同時に電子的に検知できる技術に関する。
【００４９】
ＲＦＩＤタグ、なかでも、それ自体に電源を内蔵する必要がなく受信した電波を電源として、あらかじめ決められた信号を送り返すパッシブ型のＲＦＩＤタグは広く活用されており量産効果で価格は低廉である。ＲＦＩＤタグは電波媒体を使うので直接視認できない隠れた場所にあっても機能する。
【００５０】
ＲＦＩＤタグの構成はアンテナブロック、制御回路ブロック、メモリーブロックからなり、個々のＲＦＩＤタグの応答はメモリーブロックに保存されたデータによって任意の値を選択できる。このブロック間の接続回路を接続および切断するスイッチで可逆的に回路機能をアクティブ化したり非アクティブ化する提案が多くなされている。
【００５１】
ピッキング作業における収納棚など多数の管理対象が存在する環境では、実際にピッキングに従事する者がストック残数減少など作業中に気付いた事象を他の従事者あるいは管理する人またはシステムに知らせる情報共有を必要とする事態が発生する。業務で情報共有の持つ意味は大きい。古くは医療機関における紙カルテが挙げられる。医師が看護師に対する指示を記載し、記載したという事象があることを示す支持棒をカルテに挟んでラックに戻すことで看護師に「チェックすべき要件アリ」の状況を知らせる。指示を受ける看護師は支持棒を目印として的確に指示の存在場所にたどり着くことができる。この仕組みで看護師は指示の有無を見つけるために全てのカルテの全ページを調べる必要がない。この支持棒手法は入院病棟ナースステーションにおけるカルテラックのように対象物が一カ所に集積していて、かつ一目で全数を見渡せる状況下では良好に機能する。逆にデスク上で他の書類の下にあると、指示は見逃されてしまう。検索対象は目視の及ぶ範囲に限り良好に検出される。
【００５２】
ＲＦＩＤタグ、なかでも、それ自体に電源を内蔵する必要がなく受信した電波を電源として、あらかじめ決められた信号を送り返すパッシブ型のＲＦＩＤタグは広く活用されており量産効果で価格は低廉である。ＲＦＩＤタグは電波媒体を使うので直接視認できない隠れた場所にあっても機能する。
【００５３】
ＲＦＩＤタグの構成はアンテナブロック、制御回路ブロック、メモリーブロックからなり、個々のＲＦＩＤタグの応答はメモリーブロックに保存されたデータによって任意の値を選択できる。このブロック間の接続回路を接続および切断するスイッチで可逆的に回路機能をアクティブ化したり非アクティブ化する提案が多くなされている。また導電線であるアンテナブロックを密封容器の封印と一体化封入することで封印開封に伴うアンテナ機能喪失で生じる応答信号消失を検出することで電子的に封印開封を検知する発案も存在する。この破綻検知はスイッチ接点を介さないのでスイッチの接点不良などによる不具合とは無縁であるが、それ以外の電気的スイッチ接点によって状態を可逆的に変化させる方法では電気接点の接触不良は避けることのできない故障であり、そのＲＦＩＤタグの信号が表す事象によっては動作不良が重大な結果を招きかねない。またスイッチ機能付のＲＦＩＤタグは通常品とはことなる製造工程を要するので部品単価も高価であり、実装に際しても電気的配線工程が必要で複雑化することが多くコストも増加する。
【００５４】
扉のロックなど、状態確認ができると有用な場面がある。例えば列車のトイレ利用状況が客室内に表示されることで乗客はトイレが使用されていないことを認識した上で、席を立つことができる。このようにトイレやロッカーなど共同利用資源の利用状況を把握できると便利であるが、既存の施設、設備に検出機構を追加する場合、電気的配線が必要であり施工が複雑になる。また全面ガラス製の自動ドアにボタン式の開閉スイッチを備える場合には、内蔵電池電源で駆動する検出用無線子機を使用することになり定期的な電池交換が必要である。定期的に電池交換が必要な対象が多数する場合、メンテナンス作業は膨大な労力を要する。
【００５５】
本発明では、個々の対象物に１個以上のパッシブ型ＲＦＩＤタグを用意する。それぞれは出し入れが可能な電波遮蔽材でできた格納容器に入っている。容器に格納した状態では電波が遮蔽されるのでＲＦＩＤリーダーが発する電波はＲＦＩＤタグに到達しない。仮にＲＦＩＤリーダーの電波が強くて遮蔽通過で減衰した時点の強度でＲＦＩＤタグが受信できたとしても、ＲＦＩＤタグが送出できる応答電波は微弱であり、格納容器の遮蔽を通り抜けた段階でＲＦＩＤリーダーで検知できる強度を大きく下回るので適切な閾値を設定することで格納状態にあるＲＦＩＤタグからの信号は排除できる。ＲＦＩＤタグに割り当てられた運用上の状態変化が生じた際に、ＲＦＩＤタグを格納容器から取り出す。この時点でＲＦＩＤタグはＲＦＩＤリーダーからの電波を通常受信できるようになり、通常の応答信号を発信できる。ＲＦＩＤリーダーから見るとＲＦＩＤタグの存在を確認できるようになる。
【００５６】
本発明では前項で記したＲＦＩＤタグを格納容器から出し入れする動作と同時に作業者が状態を視認できる機構を提供する。別の視点から表現すると視認用フラグを立てるという動作で作業者は意識せずにＲＦＩＤタグを格納容器から取り出す、あるいは格納容器に収納することになる機構を提供する。複数の実装方法が考えられるが、もっとも単純な機構は図１に示す方法で文字通りフラグ（旗）を立てることでＲＦＩＤタグを格納容器から取り出すものである。
【００５７】
このほかにもラジオボタン型（図３）やスライドスイッチ型（図４）あるいはダイヤル型（図２）などメカニカルスイッチの形状を模した機械機構で１個以上のＲＦＩＤタグの電波的露出と電波遮蔽を切り替えることができる。図3のラジオボタン型の場合にはＲＦＩＤは必ずしも択一である必要はなく、複数のＲＦＩＤタグのアクティブ状態または非アクティブ状態を任意に混在させることが可能である。電気導通を接続、切断することでＲＦＩＤのアクティブ状態のオン・オフを切り替える電気的スイッチと異なり、小型とはいえＲＦＩＤという完結した回路を容器から物理的に出し入れ移動するだけなので回路故障頻度は少ない。
【００５８】
トイレドアなどのロック機構として使われる表示付、スライドラッチあるいは回転式の引戸掘込カマ錠の「空き」「使用中」表示部分にＲＦＩＤタグを内蔵することで表示とロック機能の同期に加えて、電気的な検出機能が実現できる。ロッカー、レジスターなどのロック機構に組み込むことで従来のロック機能と状態表示に加えて、非接触でロック状態を検知することが可能になる。もちろん電池交換などのメンテナンスは不要である。
【００５９】
本発明の応用範囲は多岐にわたる。小売あるいはそれに近い物流業の倉庫では大量のピッキング作業が発生すると同時に在庫管理、なかでも物品補充は重要である。システムでの数値的管理もさることながらピッキング作業者が、ピッキング対象の残数減少に気付いた場合、その場で補充が必要というフラグを立てて本来業務であるピッキング作業を続けることができる。対象物品ストックスペース近隣の対象外の物品について補充が必要である事態に気づいた場合など本来割り当てられた仕事と異なる周辺への気配り、目配りをして必要であればシステムに通知としたとしても作業効率はほとんど影響をうけない。要補充の信号を受けた別の担当者は必要に応じて現場をチェックし、補充物品を発注し、納品された物品をストックスペースに補充し、フラグを倒して電波送受信ができないようにして一連の作業が終了する。システムは補充が必要という信号が消えたことを検知する。
【００６０】
本発明は調剤薬局の薬剤棚にも前項と同様に適用できる。ピッキング作業者Ａが残数減少に気付いてフラグを立ててピッキング作業を続行、別のピッキング作業者Ｂも同じく残数減少に気付くが、すでにフラグが立てられていることが視認できるので、ことさら何もせずにピッキング作業を継続する。発注担当者はＲＦＩＤシステムから要補充のフラグが立てられている通知を受け取り、必要があれば現場を確かめ発注し補充、そしてフラグを倒す。システムは要補充状態を受信しなくなる。
【００６１】
本発明はシステム停止時にも人的作業に役立つとともに、システム再起動時にはオフライン状態での変化を検知可能とする。調剤薬局の地域が何らかの事情で長時間停電となりシステムが稼働できない状態で職員が手作業でピッキング作業を続けている場合、物品補充が必要と判断した棚のフラグを立てておく。他の作業者も要補充であることに気付くが、すでに誰かが認識してシステムに通知していることを目視で知ることができる。やがて電源が復旧し稼働し始めるとシステムはＲＦＩＤタグを認識し、対象物品の補充が必要であるという職員からの通知を受領する。
【００６２】
鉄道駅、空港、競技場など多人数があつまる施設でトイレ個室は警備対象として重要である。不特定多数をターゲットとするテロリズム対策として周囲の視線から隔絶された空間での作業を監視することは必要だが、社会通念上、視覚センサーによる監視は敬遠される。不自然なまでに長時間にわたるトイレ個室のロック状態はこのようなテロリズムのみならず、重病人発生という事態も懸念される。本発明のロック機構を使用すると、既存のドアであってもロック機能、「使用中」か「空き」かの表示に加えて、その状態が電子的に検知可能となる。ＲＦＩＤタグ設置に関してドアに電源などは不要であり、メンテナンスフリーである。
【００６３】
図１は前後左右の側壁４方向と底面に電波遮蔽を施した格納容器１０とヒンジ２６でつながる表示板２０を示す。表示板２０はヒンジ２６を回転軸として用手的に回転が可能である。表示板２０の表面には目視可能な様式で状態を表す表示２４が記されている。表示板２０は電波を遮蔽しない素材である。表示板２０は裏面または内部にＲＦＩＤタグ２２を収納している。表示板２０のひとつの面２５は電波遮蔽素材を貼付してある。表示板２０を矢印２７方向に回転させて長辺を垂直方向にした時、目視用表示は目視できる状態となる。この時、ＲＦＩＤタグ２２は周囲に電波遮蔽の存在しない状態となりＲＦＩＤリーダーからの電波に応答信号を返す。表示板２０を矢印２８方向に回転させて長辺を水平方向にした時、ＲＦＩＤタグ２２は格納容器内に収まり、目視用表示２４も目視できなくなる。この時、格納容器上面は表示板２０の電波遮蔽素材部分４０によって蓋をされるので、容器内のＲＦＩＤタグ２２は外部の電波から遮蔽された状態となる。
【００６４】
図２は左右両側面と奥面の５面に電波遮蔽を施した格納容器１００が筒状の表示機構１２０を内蔵したものを示す。表示機構１２０の一部は格納容器１００から露出している。表示機構１２０の外表面は電波を遮蔽しない素材で作られており、目視可能な様式で状態を示す表示１２４が記されている。回転用操作面１２８を指で操作することで表示機構１２０を回転させることができる。表示機構１２０の内部は電波遮蔽材からなる内壁１４０で複数区画に区分されている。図２では１２０度ずつ３区画に分割した様子を示している。それぞれの区画には１個あるいは複数のＲＦＩＤタグ１２２が収められている。システム上、意味を成す場合、区画はＲＦＩＤタグを収めない事もある。図２の状態の場合、作業者は「要補充」状態であることを目視確認できる。この時、手前に向いている区画内で「要補充」表示の裏面に位置するＲＦＩＤタグ１２２は電波を遮蔽されることなく受信できるので、応用信号を返す。すなわち作業者の目視とシステムでの電子検知が一致する。
【００６５】
図３は左右両側面と奥面の５面に電波遮蔽を施した格納容器２００が３個の押しボタン２２０を備えた様子を示す。各ボタンの手前面と奥面および格納容器２００の手前面も電波遮蔽が施されている。ボタン２２０は押し込むと、その状態でラッチされ、再度押すとラッチがリリースされバネで手前に突出してくる。ボタン２２０の左右上下の４面は電波を遮蔽しない素材で作られている。ボタン２２０の内部にはＲＦＩＤタグ２２２が収められている。ボタン２２０が押し込まれた状態ではＲＦＩＤタグは周囲を電波遮蔽されてしまい、応答できない。ボタン２２０が手前に飛び出た状態ではＲＦＩＤタグは電波を受信できる状態なので応答信号を返せる。複数のボタンは互いに独立して状態を任意に変化させることもできるし、ラジオボタンのように択一ボタンの押し下げを許諾することも可能である。後者の場合、あるボタンが押し下げられると、他の押し下げられていたボタンはリリースされてせり出してくる。
【００６６】
図４は左右前後４面と天地２面に電波遮蔽を施した格納容器３００に窓があいており、引き戸のようなシャッター３４０が左右にスライドできる様子を示す。シャッター３４０は格納容器３００と同様に電波遮蔽素材でできている。シャッター３４０を格納容器の前面に開けられた窓を塞ぐ左方向にスライドさせた時、シャッター３４０の表面に記された表示３４２が目視できる。図４では「充足」の表示が目視できる。シャッター３４０を右方向にスライドさせると窓の奥板３２０が露出する。奥板３２０は電波を遮蔽しない素材で作られていて、表面には表示内容が記されている。奥板３２０の裏面にはＲＦＩＤタグ３２２が貼付されている。シャッター３４０が開いた時、奥板３２０の表示が目視できると同時にＲＦＩＤタグ３２２は電波を送受信できる状態となり機能する。シャッター３４０が閉じた時、奥板３２０の表示は隠れて目視できなくなり、代わりにシャッター表面の表示３４２が目視できるようになると同時にＲＦＩＤタグ３２２は電波を送受信できなくなり機能を停止する。
【００６７】
図５は左右前後４面と天地２面に電波遮蔽を施した格納容器４００に窓があいており、引き戸のようなシャッター４４０が左右にスライドできる様子を示す。シャッター４４０には手指での操作利便性のためにつまみ４４４が一体になっている。シャッター４４０は格納容器４００と同様に電波遮蔽素材でできている。図５左側で格納容器４００の左側面を貫いている閂（かんぬき）露出している部分４５２ａと露出していない部分４５２ｂは一体でありシャッター４４０と接合部４５４で一体となっている。閂４５２ａ，４５２ｂはシャッター４４０と一体として左右にスライドする。シャッター４４０を格納容器の前面に開けられた窓を塞ぐ右方向にスライドさせた時、シャッター４４０の表面に記された表示が目視できる。図５では「空き」の表示が目視できる。シャッター４４０を左方向にスライドさせると窓の奥板４２０が露出する。奥板４２０は電波を遮蔽しない素材で作られていて、表面には表示内容が記されている。奥板４２０の裏面にはＲＦＩＤタグ４２２が貼付されている。シャッター４４０が開いた時、奥板４２０の表示が目視できると同時にＲＦＩＤタグ４２２は電波を送受信できる状態となり機能する。さらにこの時、閂４５２ａ，４５２ｂは最も格納容器から露出し、閂としてロックを提供する。シャッター４４０が閉じた時、奥板４２０の表示は隠れて目視できなくなり、代わりにシャッター４４０表面の表示が目視できるようになると同時にＲＦＩＤタグ４２２は電波を送受信できなくなり機能を停止する。さらにこの時、閂４５２ａ，４５２ｂは最も格納容器に収納されて、閂としてのロックは解除される。
【００６８】
各対象物に本発明の表示機能付きＲＦＩＤタグ格納容器が取り付けられている事。使用するＲＦＩＤタグの応答能力に応じた距離内に配置されることを条件とするＲＦＩＤリーダーが設置されている事で各対象物に対応したＲＦＩＤタグの状態を把握することが可能になる。
【００６９】
調剤薬局の各ストック棚に図１に示す格納容器にセットしたＲＦＩＤタグを貼付する。検知対象ＲＦＩＤタグとの更新可能であることを条件としてＲＦＩＤリーダーを設置する。薬剤師がピッキング作業に従事し、ストック物品残数が少なくなったことに気付くと当該ストック棚のＲＦＩＤタグ格納容器の表示板を縦方向に起こして残りのピッキング作業を続ける。システム管理者はストック残数減少を自分のパソコンの表示で報知され、必要に応じて現場を確認した後、発注する。物品が納品されると、担当者は当該ストックスペースに補充した後に格納容器の表示板を横方向に倒して補充が必要な状態でないことを作業者が目視できるようにすると同時にシステムも要補充状態であることを検出しなくなる。
【００７０】
スタジアムなど不特定多数が利用する施設のトイレ個室の各ドアに本発明、図５で示すスライドラッチを設置しトイレエリア内をサービスエリアとするＲＦＩＤリーダーを設置することで、数秒毎に各トイレ個室ドアの施錠状態を把握できる。トイレ個室の使用が終わって施錠が解除されヒトが個室外に出て、次の利用者がトイレ個室に入り施錠するまでに施錠が解除された状態が検知できる。仮に特定のトイレ個室ドアが長時間にわたって継続的に施錠状態であることがシステムで検知されたとすると、トイレ個室内の人は体調不良を起こしているかも知れないし、なんらかの想定外行動を行っているかも知れない。何れにしても通常ではない状態として警備担当者がチェックする対象となる。トイレは監視用カメラを設置しにくい空間であり、犯罪準備に悪用されることが懸念される。国際的イベントにおいては保安上の盲点となり得るので、本発明の利用は保安上も利用可能性がある。
【００７１】
本発明はＲＦＩＤタグの応答性制御のために電気的スイッチを使用しない。そのため電気接点の接触不良やノイズ混入などのトラブルは発生しない。また汎用品のＲＦＩＤタグおよびＲＦＩＤリーダーを改変することなく使用できるのでコストを抑えることができる。
【００７２】
本発明は就業時間外や停電などシステム停止状態においても目視用フラグ機能は利用可能である。またシステム再起動時には何ら特別な手順を要することなく、目視フラグの状態がシステムに反映される。同様に目視用フラグはシステムダウンに際しても状態は維持され、ＲＦＩＤタグのアクティブ、非アクティブ状態も失われることなく維持される。
【００７３】
本発明を利用すると例えば列車トイレ個室ドアのロック状態を非接触で検知できる。「空き」と「使用中」の２状態を表示できるスライド式のロック機構にＲＦＩＤタグの電波遮蔽機構を応用すると、ドアロック機構を操作することで表示が切り替わり、電気的にも状態を把握できる。旧来の方法でドアにロック状態センサーを組み込むのは配線の取り回しが面倒であるし無線発信式のスイッチを用いるとバッテリーの交換など定期メンテナンスを必要とする。本発明の技法は配線もバッテリー交換も不要であり初期費用およびランニングコストを抑制できる。
【００７４】
前項と同様に本発明をドアロック状態の検出に用いると、観覧車ゴンドラやロープウェイゴンドラなどのドアロックがなされているかを新たに配線を追加することなく実現できる。発着場の適切な場所にＲＦＩＤリーダーを設置しておくとロック状態をチェックできる。
【００７５】
＜第一実施形態の切替装置の動作、及び報知システムについて＞
本発明の第一実施形態に係る格納容器１０（切替装置）の動作、及び報知システム６０について、図１及び図６を参照しつつ説明する。格納容器１０（切替装置）は、例えば、複数種類の物品を保管する在庫棚などに設置して用いられる。
【００７６】
格納容器１０は、表示板２０（標識体）、容器本体３０（格納体、遮断体）、電波遮蔽素材部分４０（閉塞体、遮断体）を有している。
【００７７】
表示板２０（標識体）は、板状の部材である。表示板２０には、ＲＦＩＤタグ２２、及び表示２４が設けられている。また、表示板２０には、電波遮蔽素材部分４０が設けられている。
【００７８】
本実施形態のＲＦＩＤタグ２２は、バッテリー（駆動源）を備えず、ＲＦＩＤリーダー７０（読取り装置）などの外部機器から送信される電波を駆動源として作動する、いわゆる「パッシブ型」のＲＦＩＤタグである。そのため、格納容器１０は、ＲＦＩＤタグ２２を作動させるためのバッテリーや、電気を供給するための構成を要しない。また、格納容器１０は、設置するための電気配線工事や電池交換などを要さず、維持管理等のメンテナンス作業に要する労力を低減させることができる。
【００７９】
表示２４は、文字など視認可能とされた情報である。図１及び図６に示すとおり、本実施形態の表示２４は、商品の補充が必要であることを示す「要補充」の文字とされている。なお、本発明の切替装置（格納容器）に設けられる表示は、本実施形態のように「文字」を表示させるもののほか、記号や図形など、視認可能なものであればいかなるものであってもよい。また、本実施形態や以下に説明する実施形態における表示は一例であり、表示として設けられる文字や図形の内容は限定されない。
【００８０】
容器本体３０（格納体、遮断体）は、電波を遮断する機能を備える容器である。図１及び図６に示すとおり、容器本体３０は、正面視において略矩形の外観を有している。容器本体３０には、開口３４が設けられている。容器本体３０は、開口３４を介して内部に表示板２０を出し入れ可能とされている。
【００８１】
容器本体３０は、電波遮断が施されている。なお、容器本体３０は、電波を遮断する素材により構成されていてもよいし、あるいは電波を遮断しない素材により容器を構成して当該容器に電波遮断が施されたものであってもよい。容器本体３０は、電波遮断が施されることにより、内部に電波を遮断可能とする遮断領域３２が形成されている。
【００８２】
格納容器１０は、表示板２０を容器本体３０に対して出し入れ可能とされている。より具体的には、格納容器１０は、ヒンジ２６を介して表示板２０及び容器本体３０を連結した構成とされている。表示板２０は、ヒンジ２６を回転軸として容器本体３０に対して揺動されると、開口３４を介して容器本体３０の内部（遮断領域３２）に格納された位置と、容器本体３０の遮断領域３２から外れた位置とに変位する。
【００８３】
例えば、図６（ａ）に示すとおり、表示板２０及び容器本体３０が、双方の長手方向が略一致するように配置されると、表示板２０は容器本体３０の遮断領域３２（内部空間）に格納される。また、表示板２０及び容器本体３０が双方の長手方向が略一致するように配置されると、電波遮蔽素材部分４０（閉塞体）が開口３４と接触して開口３４を閉塞するように配置される。
【００８４】
格納容器１０は、表示板２０が遮断領域３２に格納された状態では、表示板２０に設けられたＲＦＩＤタグ２２は交信が遮断された状態（交信不能状態）となる。より具体的には、表示板２０が遮断領域３２に格納された状態では、容器本体３０の遮断領域３２（容器本体３０の内部空間）は、電波遮断性を備える素材により周囲を取り囲まれた状態となる。これにより、遮断領域３２に格納されたＲＦＩＤタグ２２は、容器本体３０の外部から送信された電波が遮断され、あるいは容器本体３０の内部から送信する電波が遮断されて交信ができない状態（交信不能状態）となる。
【００８５】
一方、図６（ｂ）に示すとおり、表示板２０及び容器本体３０が、双方の長手方向が交差するように配置されると、表示板２０が容器本体３０の内部空間から取り出されて遮断領域３２から外れた位置となる。
【００８６】
格納容器１０は、表示板２０が容器本体３０の遮断領域３２から外れた位置となる状態では、ＲＦＩＤタグ２２は交信が可能な状態（交信可能状態）となる。
【００８７】
このように、格納容器１０は、容器本体３０に対して表示板２０を出し入れすることにより、ＲＦＩＤタグ２２が遮断領域３２に配置されてＲＦＩＤタグ２２の交信が遮断される交信不能状態と、ＲＦＩＤタグ２２が遮断領域３２から外れた位置となりＲＦＩＤタグ２２の交信が可能となる交信可能状態との切り替え（交信状態の切り替え）が行われる。
【００８８】
格納容器１０は、それ自体が完結した回路を有するＲＦＩＤタグ２２（パッシブ型ＲＦＩＤタグ）を、容器本体３０に対して出し入れすることによりＲＦＩＤリーダー７０との交信を接続及び遮断の切り替えを行うことができる。そのため、格納容器１０は、回路の接続及び切断により交信状態の切り替えを行う「スイッチ機能付きのＲＦＩＤタグ」と比較して、ＲＦＩＤタグ２２の故障のリスクを低減させることができる。
【００８９】
図６（ａ）に示すとおり、表示板２０が容器本体３０の遮断領域３２に格納された状態では、表示板２０に設けられた表示２４（「要補充」の文字）は、容器本体３０に遮蔽されて視認できない状態（非表示状態）となる。言い換えれば、格納容器１０は、ＲＦＩＤタグ２２の交信ができない状態（交信不能状態）では、表示２４（「要補充」の文字）が視認できない状態（非表示状態）となる。
【００９０】
一方、図６（ｂ）に示すとおり、格納容器１０は、表示板２０が容器本体３０から取り出された状態では、表示板２０に設けられた表示２４（「要補充」の文字）が視認可能な状態となる。言い換えれば、格納容器１０は、ＲＦＩＤタグ２２の交信が可能である状態（交信可能状態）では、表示２４（「要補充」の文字）が視認可能とされる状態（表示状態）となる。
【００９１】
このように、格納容器１０は、交信状態の切り替えに連動して、表示２４が視認できない状態（非表示状態）と視認可能となる状態（表示状態）とが切り替えられる。
【００９２】
続いて、本発明の報知システム６０の実施形態について説明する。本発明の実施形態に係る報知システム６０は、格納容器１０の交信状態を検知して、当該状態に基づいて所定の情報を報知する。
【００９３】
報知システム６０は、上述した格納容器１０に加え、ＲＦＩＤリーダー７０（読取り装置）、及び表示装置８０（報知装置）を有している。
【００９４】
ＲＦＩＤリーダー７０（読取り装置）は、ＲＦＩＤタグ２２と信号の送受信を行うためのものである。ＲＦＩＤリーダー７０は、いかなる形状のものであってもよい。例えば、ＲＦＩＤリーダー７０は、読み取り機能を備えることに加え、書き込み機能を備えるもの（ＲＦＩＤリーダライター）であってもよい。
【００９５】
表示装置８０（報知装置）は、ＲＦＩＤリーダー７０が受信した信号に基づき、所定の報知情報を表示させるためのものである。表示装置８０は、ＲＦＩＤリーダー７０と接続可能なものであればいかなるものであってもよい。例えば、表示装置８０は、パーソナルコンピュータやスマートフォン等の端末装置であってもよいし、電光掲示板等の表示機であってもよい。また、表示装置８０とＲＦＩＤリーダー７０との通信方式は、有線通信であるか無線通信であるかを問わず、いかなる方式であってもよい。なお、本実施形態では、表示装置８０の一例として、パーソナルコンピュータを表示装置８０として用いられる例を挙げて説明する。
【００９６】
図６（ａ）に示すとおり、表示板２０が容器本体３０に格納された状態では、表示２４（「要補充」の文字）が視認できない状態（非表示状態）となる。
【００９７】
また、表示板２０が容器本体３０に格納された状態では、ＲＦＩＤタグ２２の交信が遮断された状態（交信不能状態）となる。交信不能状態では、ＲＦＩＤタグ２２はＲＦＩＤリーダー７０と交信することができない。この場合には、図６（ａ）に一例として示すように、表示装置８０に物品の補充が必要である旨を報知する内容が表示されない。
【００９８】
このように、容器本体３０に表示板２０が格納された状態では、遮断領域３２において電波が遮断されるため、ＲＦＩＤリーダー７０から送信される電波は遮断領域３２に配置されたＲＦＩＤタグ２２に到達しない。仮に、ＲＦＩＤリーダー７０の電波が強く、ＲＦＩＤリーダー７０から送信された電波が容器本体３０を通過してＲＦＩＤタグ２２に到達したとしても、容器本体３０を通過して遮断領域３２に到達した電波の強度は微弱であり、ＲＦＩＤタグ２２が反射して送信することができる電波はごく弱いものとなる。そのため、遮断領域３２に配置されたＲＦＩＤタグ２２から反射された電波は、再び容器本体３０の外部に通り抜けた段階でＲＦＩＤリーダー７０により検知できる強度を大きく下回る。このように、ＲＦＩＤリーダー７０から送信される電波の強度などを適切に設定することで、遮断領域３２に配置されたＲＦＩＤタグ２２からの信号を排除することができる。
【００９９】
図６（ｂ）に示すとおり、物品の補充が必要であると作業者が判断した場合には、当該作業者が表示板２０を容器本体３０から取り出す動作を行うことができる。表示板２０が容器本体３０から取り出された状態では、表示２４（「要補充」の文字）が視認可能な状態（表示状態）となる。これにより、他の作業者が表示２４（「要補充」の文字）を視認して、物品の補充が必要であることを認識することができる。
【０１００】
このように、格納容器１０は、表示板２０を容器本体３０から出し入れする動作に連動して、当該動作を行った作業者や他の作業者が「在庫対象製品の補充が必要であるか否か」といった在庫の状態を視認して当該状態の情報を共有することができる。別の視点から表現すると、作業者は、容器本体３０から表示板２０を取り出す動作を「視認用フラグを立てる」という動作として、「ＲＦＩＤタグを取り出す」ことを特段意識せずに行うことができる。
【０１０１】
また、表示板２０が容器本体３０から取り出された状態では、ＲＦＩＤタグ２２の交信が遮断されず、ＲＦＩＤタグ２２とＲＦＩＤリーダー７０との間で信号の送受信が可能となる（交信可能状態）。交信可能状態では、ＲＦＩＤリーダー７０がＲＦＩＤタグ２２の信号を受信することに基づいて、表示装置８０に所定の情報が表示される。
【０１０２】
例えば、図６（ｂ）に示すとおり、格納容器１０が交信可能状態であることに連動した情報として、ＲＦＩＤタグが設けられた物品を特定する情報（例えば在庫対象物を特定する製品番号など）や、物品の補充が必要であることを知らせる報知情報（例えば「補充が必要です」等の文字）を表示装置８０に表示することができる。
【０１０３】
このように、報知システム６０は、格納容器１０が設けられた場所において所定の情報を視認可能として複数の者の間で情報を共有可能とするとともに、格納容器１０から離れた場所（例えば物品の在庫管理を行う事務所など）において格納容器１０の交信状態と連動した情報を報知することができる。
【０１０４】
また、格納容器１０及び報知システム６０によれば、多数の種類の物品が管理されている現場において、物品の在庫数が少なくなっていることなど、ピッキング作業を行う者が作業中に気付いたことを、他のピッキング作業者あるいは管理者に報知して、これらの者の間で情報を共有することができる。
【０１０５】
格納容器１０及び報知システム６０は、多岐の分野で好適に用いることができる。小売業や物流業の倉庫では、多数のピッキング作業が随時発生している。在庫管理に関して、物品の在庫数を維持してピッキング作業を円滑に行うためにも、物品の補充はとりわけ重要な業務である。
【０１０６】
格納容器１０によれば、ピッキング作業者がピッキング作業中に物品の在庫数量が少なくなっており、物品の補充が必要であることに気付いた場合、当該作業者がその場で容器本体３０から表示板２０を取り出して表示２４（「要補充」の文字）を表示させる。これにより、格納容器１０は、設置された現場（在庫棚が置かれた倉庫など）において、他の作業者等に当該物品の補充が必要である旨を知らせ、現場で作業を行う者の間で情報を共有することができる。
【０１０７】
また、ピッキング作業者は、単に容器本体３０から表示板２０を取り出すという簡単な動作により、「物品の補充が必要であること」を他の者に知らせることができる。そのため、格納容器１０は、所定の情報（本実施形態では「物品の補充が必要であること」）を知らせるための作業（本実施形態では「容器本体３０から表示板２０を取り出す動作」）が、ピッキング作業をほとんど妨げない。
【０１０８】
さらに、報知システム６０によれば、現場の在庫棚に設けられた格納容器１０を容器本体３０から表示板２０を取り出すことにより、ＲＦＩＤタグ２２とＲＦＩＤリーダー７０との交信が可能な状態（交信可能状態）となり、ＲＦＩＤリーダー７０がＲＦＩＤタグ２２からの信号を受信することに基づいて、所定の報知情報（本実施形態では「物品の補充が必要であること」）が表示装置８０により表示される。そのため、報知システム６０によれば、現場で作業者を行う者が、物品の補充を要することを管理者にわざわざ知らせる必要がない。表示装置８０により報知された「物品の補充が必要であること」を確認した担当者は、現場のチェック、補充対象物品の発注、納品された物品のストックスペースへの補充、格納容器１０の表示板２０を容器本体３０に格納する等、必要な作業を行う。これにより、在庫物品の補充に関する一連の作業が終了する。
【０１０９】
なお、格納容器１０及び報知システム６０は、調剤薬局の薬剤棚にも好適に活用することができる。例えば、格納容器１０が設けられた薬剤棚にて、ピッキング作業者Ａが当該薬剤の残数が少なくなっていることに気付いた場合、表示板２０を容器本体３０から取り出した上で（フラグを立てた上で）、ピッキング作業を続行することができる。また、この場合において、別のピッキング作業者Ｂが同様に当該薬剤の残数が少なくなっていることに気付いた場合、すでにフラグが立てられていることが視認できるためピッキング作業を継続することができる。言い換えれば、格納容器１０は、複数の作業者がピッキング作業などを行う現場において、一の物品の補充が必要であることの連絡が重複することを抑制することができる。さらに、発注担当者は報知システム６０により「要補充」の旨が報知された内容を確認して、必要があれば現場を確かめて薬剤を発注する、あるいは薬剤を補充する等を行うことができる。
【０１１０】
さらに、格納容器１０は、報知システム６０のＲＦＩＤリーダー７０や表示装置８０が何らかの理由（例えば停電など）で稼働を停止した場合であっても、現場でのピッキング作業等の人的な作業に貢献することができる。また、報知システム６０は、一旦停止したシステムが復旧して再起動した際には、オフラインの状態で格納容器１０の交信不能状態及び交信可能状態を検知することができる。そのため、報知システム６０は、例えば、調剤薬局が何らかの事情で長時間停電となり、報知システム６０等のシステムが稼働できない状態の中、職員等の作業者が手作業でピッキング作業を続けている場合には、格納容器１０を機能させて薬剤等の補充の要否などに関する情報を担当者間で共有することができる。
【０１１１】
具体的には、停電等の理由により報知システム６０のＲＦＩＤリーダー７０や表示装置８０が機能できない状況下で行われるピッキング作業では、作業者が物品の補充が必要であると判断した場合、薬剤等の棚に設けられた格納容器１０の表示板２０を容器本体３０から取り出しておく（フラグを立てておく）。他の作業者がピッキング作業を行っている際に、同様に薬剤の残数が少なくなっていることに気付いた場合、当該担当者は容器本体３０から取り出された表示板２０の表示２４（「要補充」の文字）を目にして、「すでに誰かが薬剤補充が必要であること気付いている」ことを認識することができる。その後、電源が復旧して報知システム６０が稼働し始めると、ＲＦＩＤリーダー７０はＲＦＩＤタグ２２との交信が可能となり、ＲＦＩＤタグ２２が「交信可能状態」である場合に対象物品の補充が必要であることを示す報知情報が表示装置８０に表示される。これにより、管理担当者は、現場作業者の動作に起因して通知される「要補充」の合図を認識することができる。これにより、報知システム６０は、通電の停止及び復旧後を通じて、円滑なピッキング作業や在庫管理に貢献することができる。
【０１１２】
＜第二実施形態の切替装置の動作＞
本発明の第二実施形態に係る格納容器１００（切替装置）について、図２及び図７を参照しつつさらに説明する。
【０１１３】
格納容器１００は、表示機構１２０（標識体）、容器本体１３０（格納体、遮断体）、内壁１４０（閉塞体、遮断体）を有している。
【０１１４】
表示機構１２０（標識体）は、筒状の部材である。図７に示すとおり、表示機構１２０には、複数（本実施形態では３つ）のＲＦＩＤタグ１２２、表示１２４、及び回転用操作面１２８が設けられている。また、表示機構１２０には、内壁１４０（閉塞体）が設けられている。
【０１１５】
表示機構１２０の筒状とされた本体部分は、電波をほとんど遮断しない素材により構成されている。これに対して、内壁１４０は、電波を遮断する素材により構成されている。
【０１１６】
図７に示すとおり、内壁１４０は、表示機構１２０の内部領域１２１を複数の領域に区画するように設けられている。具体的には、内壁１４０は、表示機構１２０の内部領域１２１を、第一内部領域１２１ａ、第二内部領域１２１ｂ、及び第三内部領域１２１ｃの３つに区画するように設けられている。
【０１１７】
図７に示すとおり、第一内部領域１２１ａには、ＲＦＩＤタグ１２２ａが収容されている。第二内部領域１２１ｂには、ＲＦＩＤタグ１２２ｂが収容されている。第三内部領域１２１ｃには、ＲＦＩＤタグ１２２ｃが収容されている。また、表示機構１２０の周面は、３つに区画された内部領域１２１に対応するように３つに区画される。具体的には、表示機構１２０の周面は、第一内部領域１２１ａに対応する第一表面領域１２６ａと、第二内部領域１２１ｂに対応する第二表面領域１２６ｂと、第三内部領域１２１ｃに対応する第三表面領域１２６ｃとに区画されている。
【０１１８】
表示１２４は、視認可能とされた文字である。図２及び図７に示すとおり、本実施形態の表示１２４は、商品の補充が必要であることを示す「要補充」の文字された表示１２４ａや、商品が充足していることを示す「充足」の文字とされた表示１２４ｂとされている。表示１２４は、表示機構１２０の周面に設けられている。図７（ａ）に示すとおり、表示１２４ａ（「要補充」の文字）は第一表面領域１２６ａに設けられている。図７（ｂ）に示すとおり、表示１２４ｂ（「充足」の文字）は第二表面領域１２６ｂに設けられている。
【０１１９】
容器本体１３０（格納体、遮断体）は、電波を遮断する機能を備える箱状の容器である。図２及び図７に示すとおり、容器本体１３０は、正面視において略矩形の外観を有している。容器本体１３０には、略矩形の開口１３４が設けられている。
【０１２０】
容器本体１３０は、外側に露出する面（外表面）に電波遮断が施されている。なお、容器本体１３０は、電波を遮断する素材により構成されていてもよいし、あるいは電波を遮断しない素材により容器を構成して当該容器に電波遮断が施されたものであってもよい。
【０１２１】
容器本体１３０は、外表面に電波遮断が施されることにより、内部に電波を遮断可能とする遮断領域１３２が形成されている。
【０１２２】
容器本体１３０には、表示機構１２０が収容される。より具体的には、容器本体１３０には、表示機構１２０の一部を開口２３４から容器本体１３０の外部に露出させるように表示機構１２０を収容している。
【０１２３】
格納容器１００は、表示機構１２０を容器本体１３０に対する相対位置を変位可能とされている。より具体的には、格納容器１００は、図示を省略した回転軸により支持された状態で容器本体１３０に収容されている。そのため、回転用操作面１２８が操作されると、表示機構１２０は、姿勢を維持しつつ容器本体１３０から露出する周面が変化するように回転して、容器本体１３０に対して変位する。
【０１２４】
また、表示機構１２０が、第一表面領域１２６ａ、第二表面領域１２６ｂ、及び第三表面領域１２６ｃのうちいずれかが開口１３４を介して容器本体１３０の外側に露出されると、露出された表面領域１２６に対応する内部領域１２１は電波が遮断されない状態となり、他の内部領域１２１は電波を遮断する内壁１４０及び容器本体１３０に取り囲まれて電波が遮断された状態となる。さらに詳細に説明すると、露出された表面領域１２６に対応する内部領域１２１以外の内部領域１２１は、容器本体１３０の遮断領域１３２のうち開口１３４が内壁１４０により閉塞されて電波が遮断された状態の遮断領域１３２内に配置されている状態となる。
【０１２５】
そのため、露出された表面領域１２６に対応する内部領域１２１に収容されているＲＦＩＤタグ１２２は交信が可能な状態（交信可能状態）となり、他のＲＦＩＤタグ１２２は交信が遮断された状態（交信不能状態）となる。
【０１２６】
さらに、格納容器１００は、容器本体１３０に対して表示機構１２０を回転させることにより、露出させる表面領域１２６を変化させることができる。言い方を換えれば、格納容器１００は、容器本体１３０に対して表示機構１２０の相対位置を変化させることにより、交信可能状態となるＲＦＩＤタグ１２２を変化させることができる。
【０１２７】
例えば、図７（ａ）及び図７（ｂ）に示すとおり、格納容器１００は、表示機構１２０を回転させることにより、第一表面領域１２６ａが露出する状態から露出しない状態へと変化させ、これに伴ってＲＦＩＤタグ１２２ａを交信可能状態から交信不能状態へと切り替えることができる。
【０１２８】
このように、本実施形態の格納容器１００は、容器本体１３０に対して表示機構１２０を変位させることにより、電波が遮断された状態の遮断領域１３２に一のＲＦＩＤタグ１２２が配置されて当該一のＲＦＩＤタグ１２２の交信が遮断される交信不能状態と、当該一のＲＦＩＤタグ１２２の交信が可能となる通信状態とを切り替え可能とされている。
【０１２９】
また、図７（ａ）に示すとおり、第一表面領域１２６ａが露出する状態では、表示１２４ａ（「要補充」の文字）が視認可能となる（表示状態）。図７（ａ）に示す状態から表示機構１２０を回転させて、第二表面領域１２６ｂが露出する状態に表示機構１２０を変位させると、表示１２４ａ（「要補充」の文字）が視認できない状態（非表示状態）となる一方、表示１２４ｂ（「充足」の文字）が視認可能な状態となる。
【０１３０】
このように、格納容器１００は、一のＲＦＩＤタグ１２２の交信状態の切り替えに連動して、一の表示１２４が視認できない状態（非表示状態）と視認可能となる状態（表示状態）とが切り替えられる。
【０１３１】
＜第三実施形態の切替装置の動作＞
続いて、本発明の第二実施形態に係る格納容器２００（切替装置）について、図３及び図８を参照しつつさらに説明する。
【０１３２】
図３に示すとおり、格納容器２００（切替装置）は、複数の押圧式のボタン２２０（標識体）を備えるスイッチ装置である。格納容器２００は、複数のボタン２２０（標識体）、及び容器本体２３０（格納体、遮断体）を有している。
【０１３３】
格納容器２００は、容器本体２３０に複数の押圧式のボタン２２０を格納した構成とされている。ボタン２２０は、容器本体２３０に格納された状態において押圧操作されると、容器本体２３０から突出するように変位可能とされている。また、ボタン２２０は、容器本体２３０から突出した状態において押圧操作されると、容器本体２３０に格納された状態に変位する。なお、ボタン２２０を容器本体２３０に対して変位させるバネ等の弾性部材や係止部材等の構造については詳細な説明及び図示を省略する。
【０１３４】
ボタン２２０（標識体）は、上述のとおり、押圧式のボタンである。本実施形態の格納容器２００では、複数のボタン２２０が設けられている。より具体的には、格納容器２００には、ボタン２２０ａ、ボタン２２０ｂ、及びボタン２２０ｃが設けられている。
【０１３５】
また、図８に示すとおり、ボタン２２０の手前面２２６（突出方向の面）及び奥面２２８（後退方向の面）は、電波遮断が施された電波遮蔽面２４０（閉塞体）とされている。
【０１３６】
図８に示すとおり、各ボタン２２０には、ＲＦＩＤタグ２２２及び表示２２４がそれぞれ設けられている。具体的には、ボタン２２０ａには、ＲＦＩＤタグ２２２ａ及び表示２２４ａ（「着払い」の文字）が設けられている。また、ボタン２２０ｂには、ＲＦＩＤタグ２２２ｂ及び表示２２４ｂ（「書留」の文字）が設けられている。さらに、ボタン２２０ｃには、ＲＦＩＤタグ２２２ｃ及び表示２２４ｃ（「速達」の文字）が設けられている。ＲＦＩＤタグ２２２は、ボタン２２０の内部に収容されている。
【０１３７】
なお、本実施形態の格納容器２００では、３つのボタン２２０が設けられた例を挙げて説明するが、本発明の格納容器（切替装置）に設けられるボタン（標識体）及びＲＦＩＤタグの数はこれに限定されない。
【０１３８】
容器本体２３０（格納体、遮断体）は、電波を遮断する機能を備える容器である。図３及び図８に示すとおり、容器本体２３０は、正面視において略矩形の外観を有している。容器本体２３０には、開口２３４が設けられている。容器本体２３０は、開口２３４を介してボタン２２０を出し入れ可能とされている。容器本体２３０の内部には、電波を遮断可能とする遮断領域２３２が形成されている。
【０１３９】
上述のとおり、格納容器２００は、ボタン２２０（標識体）を容器本体２３０（格納体、遮断体）に対して出し入れ可能とされている。より具体的には、格納容器２００は、ボタン２２０を容器本体２３０から突出させた状態（取り出した状態）と、ボタン２２０を後退させた状態（容器本体２３０の内部に格納された状態）とに変位可能とされている。
【０１４０】
図８（ａ）に示すとおり、ボタン２２０が容器本体２３０に格納された状態では、開口２３４がボタン２２０の手前面２２６に閉塞されて、遮断領域２３２は電波遮断が施された容器本体２３０及び手前面２２６に取り囲まれて電波が遮断された状態となる。また、ボタン２２０に収容されたＲＦＩＤタグ２２２は、電波が遮断された状態の遮断領域２３２に配置される。言い方を換えれば、ボタン２２０が容器本体２３０に格納された状態では、ボタン２２０に収容されたＲＦＩＤタグ２２２は、電波を遮断するように閉塞された遮断領域２３２に格納されて交信が遮断された状態（交信不能状態）となる。
【０１４１】
一方、図８（ｂ）に示すとおり、ボタン２２０が容器本体２３０から突出した状態（取り出された状態）では、ボタン２２０の手前面２２６が開口２３４から離間して、遮断領域２３２が開放された状態となる。そのため、ボタン２２０が容器本体２３０から突出した状態では、ボタン２２０に収容されたＲＦＩＤタグ２２２の交信が可能な状態（交信可能状態）となる。
【０１４２】
例えば、図８（ａ）に示すとおり、ボタン２２０ａ，２２０ｂ，２２０ｃが後退した状態（容器本体２３０に格納された状態）では、開口２３４が手前面２２６ａ，２２６ｂ，２２６ｃにより閉塞されて、遮断領域２３２の電波が遮断された状態となる。この状態では、ボタン２２０ａに設けられたＲＦＩＤタグ２２２ａ、ボタン２２０ｂに設けられたＲＦＩＤタグ２２２ｂ、及びボタン２２０ｃに設けられたＲＦＩＤタグ２２２ｃは、電波が遮断された状態の遮断領域２３２に配置されて交信が遮断された状態となる。
【０１４３】
図８（ｂ）に示すとおり、ボタン２２０ａが容器本体２３０から突出した状態（取り出された状態）では、ＲＦＩＤ２２２ａが遮断領域２３２から外れた位置となり、交信可能状態となる。また、ボタン２２０ｂ，２２０ｃが後退した状態（容器本体３０に格納された状態）では、ボタン２２０ｂに設けられたＲＦＩＤタグ２２２ｂ、及びボタン２２０ｃに設けられたＲＦＩＤタグ２２２ｃは、遮断領域２３２に配置された状態となる。この場合において、開口２３４は、ボタン２２０ｂの手前面２２６ｂ及びボタン２２０ｃの手前面２２６ｃに加え、ボタン２２０ａの奥面２２８ａにより閉塞される。そのため、遮断領域２３２は電波が遮断された状態となり、遮断領域２３２に配置されているＲＦＩＤタグ２２２ｂ，２２２ｃは交信不能状態となる。
【０１４４】
このように、格納容器２００は、容器本体２３０に対してボタン２２０を出し入れすることにより、ＲＦＩＤタグ２２２が遮断領域２３２に配置されるとともに開口２３４が手前面２２６（閉塞体）に閉塞されてＲＦＩＤタグ２２２の交信が遮断される交信不能状態と、遮断領域２３２が開放されてＲＦＩＤタグ２２の交信が可能となる交信可能状態とを切り替え可能とされている。
【０１４５】
＜第四実施形態の切替装置の動作＞
本発明の第四実施形態に係る格納容器３００（切替装置）について、図４及び図９を参照しつつさらに説明する。
【０１４６】
格納容器３００は、奥板３２０（標識体）、容器本体３３０（格納体、遮断体）、シャッター３４０（閉塞体、遮断体）を有している。
【０１４７】
格納容器３００（切替装置）は、箱状の容器本体３３０に奥板３２０（標識体）を設け、容器本体３３０に対してシャッター３４０（閉塞体）を変位させることにより、ＲＦＩＤタグ３２２の交信状態の切り替え行うことができる。
【０１４８】
容器本体３３０（格納体、遮断体）は、電波を遮断する機能を備える容器である。図４及び図９に示すとおり、容器本体３３０は、正面視において略矩形の外観を有している。容器本体３３０には、開口３３４が設けられている。容器本体３３０の開口３３４の縁部には、シャッター３４０を変位させるガイドとして機能するシャッター用レール３３６が設けられている。
【０１４９】
容器本体３３０は、電波遮断が施されている。なお、容器本体３３０は、電波を遮断する素材により構成されていてもよいし、あるいは電波を遮断しない素材により容器を構成して当該容器に電波遮断が施されたものであってもよい。容器本体３３０は、電波遮断が施されることにより、内部に電波を遮断可能とする遮断領域３２が形成されている。
【０１５０】
シャッター３４０（閉塞体、遮断体）は、開口３３４を閉塞するに足りる大きさを有し、容器本体３３０の開口３３４を閉塞及び開放する引き戸として機能する。また、シャッター３４０は、電波を遮断する素材により形成されている。シャッター３４０には、つまみ３４４が設けられている。シャッター３４０は、後述する奥板３２０に設けられた表示３２４（「要補」の文字）を遮蔽可能とする遮蔽板として機能する。また、シャッター３４０には、表示３４２（「充足」の文字）が設けられている。
【０１５１】
奥板３２０（標識体）は、電波を遮断する機能がほとんどない板状の部材である。奥板３２０には、ＲＦＩＤタグ３２２、及び表示３２４（「要補」の文字）が設けられている。奥板３２０は、容器本体３３０に設けられている。より具体的には、奥板３２０は、容器本体３３０の開口３３４を覆うように、容器本体３３０の内側に設けられている。また、ＲＦＩＤタグ３２２は、容器本体３３０の遮断領域３３２側に配置されるように奥板３２０に取り付けられている。
【０１５２】
格納容器３００は、シャッター３４０が容器本体３３０に対して変位可能とされている。より具体的には、シャッター３４０は、容器本体３３０に対してシャッター用レール３３６に沿ってスライド可能とされている。シャッター３４０は、開口３３４を閉塞する位置（奥板３２０が遮蔽される位置）と、開口３３４から外れた位置（奥板３２０を露出させる位置）とに容器本体３３０に対して変位可能とされている。
【０１５３】
例えば、図９（ａ）に示すとおり、シャッター３４０が開口３３４を閉塞する位置に配置されると、遮断領域３３２は電波が遮断されるように閉鎖されて電波が遮断された状態となる。そのため、シャッター３４０が開口３３４を塞ぐ位置に配置されると、遮断領域３３２に配置されているＲＦＩＤタグ３２２は、交信が遮断された状態（交信不能状態）となる。
【０１５４】
また、図９（ｂ）に示すとおり、シャッター３４０が開口３３４から外れた位置に配置されると、開口３３４が開放されて遮断領域３３２が外部と連通する状態となる。そのため、シャッター３４０が開口３３４から外れた位置に配置されると、ＲＦＩＤタグ３２２は、交信が可能な状態（交信可能状態）となる。
【０１５５】
このように、格納容器３００は、容器本体３３０に対してシャッター３４０を変位させることにより、開口３３４がシャッター３４０に閉塞されてＲＦＩＤタグ３２２の交信が遮断される交信不能状態と、シャッター３４０が開口３３４から外れた位置となりＲＦＩＤタグ３２２の交信が可能となる交信可能状態とを切り替え可能とされている。
【０１５６】
また、図９（ａ）に示すとおり、格納容器３００は、シャッター３４０が開口３３４を閉塞している状態では、奥板３２０がシャッター３４０に遮蔽されて表示３２４（「要補」の文字）が視認できない状態となる。すなわち、格納容器３００は、シャッター３４０が開口３３４を閉塞している交信不能状態では、表示３２４（「要補」の文字）がシャッター３４０に遮蔽されており視認できない状態（非表示状態）となる。なお、この状態では、シャッター３４０に設けられた表示３４２（「充足」の文字）が視認可能となる。
【０１５７】
一方、図９（ｂ）に示すとおり、格納容器３００は、シャッター３４０が開口３３４から外れた位置となるように配置されている状態では、表示３２４（「要補」の文字）が開口３３４から露出して視認可能な状態（表示状態）となる。言い換えれば、格納容器３００は、ＲＦＩＤタグ３２２の交信が可能な状態（交信可能状態）では、表示３２４（「要補」の文字）が視認可能な状態（表示状態）となる。
【０１５８】
このように、格納容器３００は、交信状態の切り替えに連動して、表示３２４（「要補」の文字）を表示させる状態（表示状態）と表示させない状態（非表示状態）とが切り替えられる。
【０１５９】
＜第五実施形態の切替装置の動作、及び報知システムについて＞
本発明の第五実施形態に係る格納容器４００（切替装置）について、図５及び図１０を参照しつつさらに説明する。
【０１６０】
格納容器４００は、奥板４２０（標識体）、容器本体４３０（格納体、遮断体）、シャッター４４０（閉塞体、遮断体）を有している。また、格納容器４００は、閂４５２（係止体、進退部）を有している。
【０１６１】
格納容器４００は、箱状の容器本体４３０に奥板４２０を設け、容器本体４３０に対してシャッター４４０を変位させることにより、ＲＦＩＤタグ４２２の交信状態の切り替えを行うことができる。
【０１６２】
また、格納容器４００は、容器本体４３０に対して閂４５２を突出させた状態において「施錠状態」とされ、容器本体４３０に対して閂４５２を後退させた状態において「解錠状態」とされる施錠装置４５０を構成する。
【０１６３】
容器本体４３０（格納体、遮断体）は、電波を遮断する機能を備える容器である。図５及び図１０に示すとおり、容器本体４３０は、正面視において略矩形の外観を有している。容器本体４３０には、開口４３４が設けられている。また、容器本体４３０の開口４３４の縁部には、シャッター４４０を変位させるガイドとして機能するシャッター用レール４３６が設けられている。さらに、容器本体４３０には、閂４５２を出し入れするための挿通口４３８が設けられている。
【０１６４】
上述のとおり、容器本体４３０には、電波遮断が施されている。なお、容器本体４３０は、電波を遮断する素材により構成されていてもよいし、あるいは電波を遮断しない素材により容器を構成して当該容器に電波遮断が施されたものであってもよい。容器本体４３０の内部には、開口４３４が閉塞されることにより電波が遮断される遮断領域４３２が形成されている。
【０１６５】
シャッター４４０（閉塞体、遮断体）は、開口４３４を閉塞するに足りる大きさを有し、容器本体４３０の開口４３４を閉塞及び開放する引き戸として機能する。また、シャッター４４０は、電波を遮断する素材により形成されている。シャッター４４０には、つまみ３４４が設けられている。シャッター４４０は、後述する奥板４２０に設けられた表示４２４（「使用中」の文字）を遮蔽可能とする遮蔽板として機能する。また、シャッター４４０には、表示４４２（「空き」の文字）が設けられている。
【０１６６】
閂４５２（係止体、進退部）は、容器本体４３０に対して突出及び後退可能に設けられている。また、閂４５２は、接合部４５４においてシャッター４４０に対して連結されている。そのため、閂４５２は、シャッター４４０の変位に伴って、容器本体４３０から突出する位置と、容器本体４３０の内部に後退する位置とに変位する。
【０１６７】
奥板４２０（標識体）は、電波を遮断する機能がほとんどない板状の部材である。奥板４２０には、ＲＦＩＤタグ４２２、及び表示４２４（「使用中」の文字）が設けられている。奥板４２０は、容器本体４３０に設けられている。より具体的には、奥板４２０は、容器本体４３０の開口４３４を覆うように、容器本体４３０の内側に設けられている。また、ＲＦＩＤタグ４２２は、容器本体４３０の遮断領域４３２側に配置されるように奥板４２０に取り付けられている。
【０１６８】
格納容器４００は、シャッター４４０が容器本体４３０に対して変位可能とされている。より具体的には、シャッター４４０は、容器本体４３０に対してシャッター用レール４３６に沿ってスライド可能とされている。シャッター４４０は、開口４３４を閉塞する位置（奥板４２０が遮蔽される位置）と、開口４３４から外れた位置（奥板４２０を露出させる位置）とに容器本体４３０に対して変位可能とされている。
【０１６９】
例えば、図１０（ａ）に示すとおり、シャッター４４０が開口４３４を閉塞する位置に配置されると、遮断領域４３２は電波が遮断されるように閉鎖されて電波が遮断された状態となる。そのため、シャッター４４０が開口４３４を塞ぐ位置に配置されると、遮断領域４３２に配置されているＲＦＩＤタグ４２２は、交信が遮断された状態（交信不能状態）となる。
【０１７０】
図１０（ａ）に示すとおり、格納容器４００は、シャッター４４０が開口４３４を閉塞している状態では、奥板４２０に設けられた表示４２４（「使用中」の文字）が視認できない状態（非表示状態）となる。なお、この場合では、シャッター４４０に設けられた表示４４２（「空き」の文字）が視認可能となる。
【０１７１】
図１０（ａ）に示すとおり、シャッター４４０が開口４３４を塞ぐ位置に配置されると、閂４５２は容器本体４３０の内部に後退した状態となり、施錠装置４５０としての格納容器４００は解錠状態とされる。
【０１７２】
一方、図１０（ｂ）に示すとおり、シャッター４４０が開口４３４から外れた位置に配置されると、開口４３４が開放されて遮断領域４３２が外部と連通する状態となる。そのため、シャッター４４０が開口４３４から外れた位置に配置されると、ＲＦＩＤタグ４２２は、交信が可能な状態（交信可能状態）となる。
【０１７３】
図１０（ｂ）に示すとおり、格納容器４００は、シャッター４４０が開口４３４から外れた位置に配置されると、遮断領域４３２が外部と連通する状態となる。そのため、シャッター４４０が開口４３４から外れた位置に配置されると、ＲＦＩＤタグ４２２は交信が可能な状態（交信可能状態）となる。
【０１７４】
図１０（ｂ）に示すとおり、シャッター４４０が開口４３４から外れた位置に配置されると、閂４５２は容器本体４３０から突出した状態となり、施錠装置４５０としての格納容器４００は施錠状態とされる。
【０１７５】
このように、格納容器４００は、交信不能状態及び交信可能状態の切り替えに連動して、奥板４２０に設けられた表示４２４（「使用中」の文字）を表示させる状態（表示状態）と表示させない状態（非表示状態）とが切り替えられるとともに、施錠状態及び解錠状態が切り替えられる。
【０１７６】
続いて、上述した格納容器４００を備える報知システム４６０の実施形態について、図１０を参照しつつ説明する。報知システム４６０は、格納容器４００のＲＦＩＤタグ４２２の信号を検知して、当該状態に基づいて所定の情報を報知するためのものである。
【０１７７】
図１０に示すとおり、本実施形態の報知システム４６０は、格納容器４００（施錠装置４５０）が施錠状態であるか解錠状態であるかに基づき、表示装置４８０の表示を切り替え可能とされている。本実施形態の報知システム４６０は、格納容器４００をトイレの施錠装置４５０として用いて、施錠装置４５０が施錠状態であるか解錠状態であるかに基づいて、表示装置４８０においてトイレが「使用中」であるか「空き」であるかを報知するものとして用いられる例を挙げて説明する。
【０１７８】
報知システム４６０は、上述した格納容器４００に加え、ＲＦＩＤリーダー７０（読取り装置）、及び表示装置４８０（報知装置）を有している。なお、ＲＦＩＤリーダー７０は、第一実施形態における報知システム６０のＲＦＩＤリーダー７０と同様の構成とされている。そのため、本実施形態の説明では、ＲＦＩＤリーダー７０については第一実施形態において付した符号と同じ符号を用いて説明し、詳細な説明を省略する。
【０１７９】
表示装置４８０（報知装置）は、ＲＦＩＤリーダー７０が受信した信号に基づき、所定の情報を表示させるためのものである。表示装置４８０は、ＲＦＩＤリーダー７０と接続可能なものであれば、いかなるものであってもよい。例えば、表示装置４８０は、パーソナルコンピュータやスマートフォン等の端末装置であってもよいし、電光掲示板等の端末機であってもよい。また、表示装置４８０とＲＦＩＤリーダー７０との通信方式は、有線通信であるか無線通信であるかを問わず、いかなる方式であってもよい。なお、本実施形態では、表示装置４８０として、電光式のサインプレートが用いられる例を挙げて説明する。
【０１８０】
図１０（ａ）に示すとおり、シャッター４４０が開口４３４を閉塞している状態では、表示４２４（「使用中」の文字）が表示されない状態（非表示状態）となる。また、この場合ではシャッター４４０に設けられた表示４４２（「空き」の文字）が視認可能となる。また、シャッター４４０が開口４３４を閉塞している状態では、閂４５２が容器本体４３０の内部に後退した「解錠状態」となる。
【０１８１】
また、シャッター４４０が開口４３４を閉塞している状態では、ＲＦＩＤタグ４２２の交信が遮断された状態（交信不能状態）となる。交信不能状態では、ＲＦＩＤタグ４２２の信号をＲＦＩＤリーダー７０が受信することができない。この場合には、表示装置４８０に「トイレが空室」であることを報知する内容が表示される。例えば、図１０（ａ）に一例として示すように、表示装置４８０の「空き」と表示された表示器を点灯させて、「トイレが空室」であることを報知することができる。
【０１８２】
図１０（ｂ）に示すとおり、シャッター４４０が開口４３４から外れた位置となるように配置されている状態では、表示４２４（「使用中」の文字）が表示される状態（表示状態）となる。また、シャッター４４０が開口４３４から外れた位置となるように配置されている状態では、閂４５２が容器本体４３０から突出した「施錠状態」となる。
【０１８３】
また、シャッター４４０が開口４３４から外れた位置となるように配置されている状態では、ＲＦＩＤタグ４２２の交信が遮断されず、ＲＦＩＤタグ４２２とＲＦＩＤリーダー７０との交信が可能な状態（交信可能状態）となる。交信可能状態では、ＲＦＩＤリーダー７０がＲＦＩＤタグ４２２の信号を受信することに基づいて、表示装置４８０に「トイレが使用中」であることを報知する内容が表示される。例えば、図１０（ｂ）に一例として示すように、表示装置４８０の「使用中」と表示された表示器を点灯させて、「トイレが使用中」であることを報知することができる。
【０１８４】
このように、報知システム４６０は、格納容器４００が施錠状態であるか解錠状態であるかに連動して、表示装置４８０に所定の情報を表示させることができる。
【０１８５】
本実施形態のように、施錠装置としての機能を有する格納容器（切替装置）とすれば、多数の人が集まる施設のトイレなどに好適に採用することができる。具体的に説明すると、鉄道駅、空港、競技場など多人数があつまる施設のトイレ個室は、警備対象として重要である。不特定多数をターゲットとするテロリズム対策として、周囲の視線から隔絶されたトイレなどの空間で人の動作を監視するが安全上望ましい。しかしながら、社会通念上、視覚センサーによる監視は敬遠される。その一方、不自然なまでに長時間にわたるトイレ個室のロック状態（施錠状態）は、このようなテロリズムのみならず、重病人発生という事態も懸念される。本発明の施錠装置としての切替装置を採用すると、既存のドアであってもロック機能（施錠機能）に加え、「使用中」か「空き」かの表示を行うことができる。さらに、施錠装置としての切替装置を備える報知システムとすれば、切替装置（施錠装置）の状態が電子的に検知可能となる。
【０１８６】
また、上述の報知システム４６０は、列車のトイレなどの利用状況を報知するものとして用いることができる。例えば、上述の報知システム４６０について、格納容器４００をトイレの施錠装置として設け、表示装置４８０を列車の座席から見やすい位置に設けたることができる。この場合、乗客はトイレが空いているか否かを確認するためにわざわざ席を立つ必要がなく、トイレが空室であることを確認の上席を立つことができる。
【０１８７】
＜第六実施形態の切替装置の動作について＞
本発明の第六実施形態に係る格納容器５００（切替装置）について、図１１を参照しつつ説明する。
【０１８８】
格納容器５００は、回転体５２０（標識体）、容器本体５３０（格納体、遮断体）、及び閉塞体５４０を有している。また、格納容器５００は、フック体５５２（係止体）を有している。
【０１８９】
格納容器５００は、箱状の容器本体５３０に回転体５２０を収容し、回転体５２０を容器本体５３０に対して変位させることにより、ＲＦＩＤタグ５２２の交信状態の切り替えを行うことができる。
【０１９０】
格納容器５００は、容器本体５３０とフック体５５２とが、解錠状態及び施錠状態の切り替えを行うことができる施錠装置５５０を構成する。施錠装置５５０（格納容器５００）は、フック体５５２を容器本体５３０に対して変位させることにより、解錠状態と施錠状態とを切り替えることができる。
【０１９１】
具体的には、格納容器５００は、フック体５５２を容器本体５３０に対して長手方向が略鉛直となる姿勢とされると、フック体５５２の先端に形成された鉤部５５２ａが図示を省略したストライクの係止穴に進入して「施錠状態」とされる。また、格納容器５００は、フック体５５２を容器本体５３０に対して長手方向が略水平となる姿勢とされると、フック体５５２の先端に形成された鉤部５５２ａが図示を省略したストライクの係止穴から退出して「解錠状態」とされる。
【０１９２】
容器本体５３０（格納体、遮断体）は、電波を遮断する機能を備える容器である。図１１に示すとおり、容器本体５３０は、正面視において略矩形の外観を有している。容器本体５３０には、開口５３４が設けられている。また、容器本体５３０の開口５３４が設けられた正面５３０ａとは反対側の裏面５３０ｂには、軸貫通孔５３９が設けられている。
【０１９３】
上述のとおり、容器本体５３０には、電波遮断が施されている。なお、容器本体５３０は、電波を遮断する素材により構成されていてもよいし、あるいは電波を遮断しない素材により容器を構成して当該容器に電波遮断が施されたものであってもよい。容器本体５３０の内部には、開口５３４が閉塞されることにより電波が遮断される遮断領域５３２が形成されている。
【０１９４】
フック体５５２（係止体）は、容器本体５３０に対して変位可能に設けられている。具体的には、フック体５５２は、図示を省略した連結軸を軸貫通孔５３９に挿通させることにより、容器本体５３０に取り付けられている。そのため、フック体５５２は、容器本体５３０に対して軸貫通孔５３９を揺動軸として、揺動するように変位可能とされている。
【０１９５】
回転体５２０（標識体）は、電波を遮断する機能がほとんどない板状の部材である。回転体５２０には、ＲＦＩＤタグ５２２、及び表示５２４（「使用中」の文字）が設けられている。回転体５２０は、容器本体５３０の内部に収容されており、連結軸を介してフック体５５２と連結されている。そのため、回転体５２０は、フック体５５２の変位に連動して、軸貫通孔５３９を揺動軸として回転するように変位する。別の言い方をすれば、回転体５２０は、フック体５５２と一体的に揺動する。
【０１９６】
閉塞体５４０は、回転体５２０に設けられている。また、閉塞体５４０は、電波を遮断する素材により形成されている。また、閉塞体５４０には、表示５４２（「空き」の文字）が設けられている。
【０１９７】
格納容器５００は、フック体５５２の変位に伴って回転体５２０が揺動して、回転体５２０に設けられた閉塞体５４０が開口５３４を閉塞する位置と、閉塞体５４０が開口５３４から外れた位置とに変化する。
【０１９８】
例えば、図１１（ａ）に示すとおり、フック体５５２が略鉛直に向くような姿勢となる場合には、閉塞体５４０が開口５３４を閉塞するように配置される。この場合には、格納容器５００は「解錠状態」となる。また、格納容器５００は、開口５３４が閉塞体５４０に閉塞され、遮断領域５３２は電波が遮断されるように閉鎖されて電波が遮断された状態となり、遮断領域５３２に配置されているＲＦＩＤタグ５２２は、交信が遮断された状態（交信不能状態）となる。
【０１９９】
図１１（ａ）に示すとおり、格納容器５００は、閉塞体５４０が開口５３４を閉塞している状態では、回転体５２０に設けられた表示５２４（「使用中」の文字）が視認できない状態（非表示状態）となる。具体的には、格納容器５００は、閉塞体５４０が開口５３４を閉塞している状態では、回転体５２０に設けられた表示５２４（「使用中」の文字）が開口５３４から外れた位置となり、視認できない状態（非表示状態）となる。なお、この場合では、閉塞体５４０に設けられた表示５４２（「空き」の文字）が視認可能となる。
【０２００】
一方、図１１（ｂ）に示すとおり、フック体５５２が略水平に向くような姿勢となる場合には、閉塞体５４０が開口５３４から外れた位置に配置される。この場合には、格納容器５００は「施錠状態」となる。また、格納容器５００は、開口５３４が閉塞体５４０から開放され、遮断領域５３２に配置されているＲＦＩＤタグ５２２は、交信が可能な状態（交信可能状態）となる。
【０２０１】
図１１（ｂ）に示すとおり、格納容器５００は、閉塞体５４０が開口５３４から外れた位置となると、回転体５２０に設けられた表示５２４（「使用中」の文字）が開口５３４から露出して視認できる状態（表示状態）となる。
【０２０２】
このように、格納容器５００は、交信不能状態及び交信可能状態の切り替えに連動して、回転体５２０に設けられた表示５２４（「使用中」の文字）を表示させる状態（表示状態）と表示させない状態（非表示状態）とが切り替えられるとともに、施錠状態及び解錠状態が切り替えられる。
【０２０３】
なお、格納容器５００は、第五実施形態において説明した報知システム４６０の格納容器として採用することができる。
【０２０４】
施錠装置を構成する本発明の格納容器（切替装置）は、上述の実施形態に限定されず、種々の構成を採用することができる。具体的には、施錠装置を構成する切替装置は、上述の格納容器４００のように、閂４５２（進退部、係止体）及びシャッター４４０（閉塞体）が一体的に変位し、これらが容器本体４３０（遮蔽体、格納体）及び奥板４２０（標識体）に対して相対的に変位するものであってもよい。また、施錠装置を構成する本発明の切替装置は、上述の格納容器５００のように、フック体５５２（係止体）及び回転体５２０（標識体）が一体的に変位し、これらが容器本体５３０（遮蔽体、格納体）に対して相対的に変位するものであってもよい。
【０２０５】
施錠装置を構成する本発明の切替装置は、係止体が容器本体に対して直線的に変位するものであってもよいし、係止体が容器本体あるいは標識体に対して回転して変位するものであってもよい。また、施錠装置を構成する本発明の切替装置は、開き扉に用いられるものであってもよいし、引き戸に用いられるものであってもよい。
【０２０６】
さらに、施錠装置を構成する本発明の切替装置の構成は、図１２に示す格納容器６００（施錠装置６５０）のようなものであってもよい。図１２に示す格納容器６００は、ＲＦＩＤ収納部６３０ａ（遮蔽体、格納体）、回転部６３０ｂ（遮蔽体、格納体）、状態表示部６２０（標識体）、ＲＦＩＤタグ６２２、及びフック体６５２（係止体）を有している。ＲＦＩＤ収納部６３０ａ及び回転部６３０ｂは、電波遮蔽素材により構成されている。格納容器６００は、フック体６５２及び回転部６３０ｂが、ＲＦＩＤ収納部６３０ａ及び状態表示部６２０に対して回転して変位するものである。図１３（ａ）及び（ｂ）に示すとおり、格納容器６００は、フック体６５２の変位に伴って、ＲＦＩＤタグ６２２の交信状態が切り替えられるとともに、開口６３８から視認可能となる表示６１０ａ，６１０ｂの表示状態の切り替えが行われる。
【０２０７】
以上、本発明の切替装置、及び報知システムの実施形態について説明したが、本発明は上述の実施形態に限定されない。
【０２０８】
例えば、第一実施形態において説明した報知システム６０において、格納容器１０に代えて格納容器１００，２００，３００，４００のいずれかを用いてもよい。また、第五実施形態において説明した報知システム４６０において、格納容器４００に代えて格納容器１０，１００，２００，３００のいずれかを用いてもよい。
【０２０９】
また、本発明の切替装置及び報知システムは、薬剤など在庫対象製品の在庫管理や、トイレの空室表示などに用いられるもののほか、いかなるものに用いられるものであってもよい。例えば、本発明の切替装置及び報知システムの管理対象とされる在庫対象製品は、薬剤に限定されず、いかなる製品であってもよい。
【０２１０】
さらに、本発明の切替装置に用いられるＲＦＩＤタグは、パッシブ型タグのほか、電池を交換可能である場合には、電池が内蔵されたアクティブタグが用いられるものであってもよい。さらに本発明の切替装置に用いられるＲＦＩＤタグは、ラベル型、カード型、コイン型、スティック型など種々選択可能である。
【０２１１】
さらに、本発明の切替装置は、第五実施形態で説明したトイレのドアなどの施錠装置のほか、ロッカー、レジスターなどの施錠装置（ロック機構）に用いられるものであってもよい。また、本発明の切替装置は、第五実施形態で説明したような進退部が直線的に変位して容器本体に対して突出及び後退するもののほか、進退部が回転するように変位して容器本体に対して突出及び後退するものであってもよい。
【０２１２】
さらに、本発明の切替装置は、ＲＦＩＤタグが一つ設けられたものであってもよいし、ＲＦＩＤタグが複数設けられたものであってもよい。また、本発明の切替装置は、複数のＲＦＩＤタグを備えるものである場合には、一のＲＦＩＤタグが交信可能状態である場合には他のＲＦＩＤタグが交信不能状態となるよう構成してもよいし、あるいは一のＲＦＩＤタグが交信不能状態である場合には他のＲＦＩＤタグが交信可能状態となるよう構成してもよいし、さらには複数のＲＦＩＤタグの交信可能状態又は交信不能状態を併存するよう構成してもよい。
【０２１３】
さらに、上述の実施形態では、切替装置（格納容器）に設けられた表示を、文字によるものとした例を示したが、本発明の切替装置及び報知システムはこれに限定されない。すなわち、本発明の切替装置及び報知システムの「表示」は、文字のほか、図形や記号など、視認可能なものであればいかなるものであってもよい。さらに、本発明の報知システムにおいて、報知装置により報知される「報知情報」は、表示装置に文字や図形など視認可能な情報を表示させるもののほか、音（例えば音声）などにより聴覚により認識できる情報により報知されるものであってもよい。
【産業上の利用可能性】
【０２１４】
本発明の切替装置及び報知システムは、在庫管理や空室管理等、様々な業界における広範囲の業務に適用可能である。
【符号の説明】
【０２１５】
１０      格納容器（切替装置）
２２      ＲＦＩＤタグ
２０      表示板（標識体）
２６      ヒンジ
４０      貼付された電波遮蔽板（閉塞体、遮断体）
２４      目視用表示（表示）
２７      ＲＦＩＤタグをアクティブ化する方向
２８      ＲＦＩＤタグを非アクティブ化する方向
３０      容器本体（格納体、遮断体）
３２      遮断領域
３４      開口
６０      報知システム
７０      ＲＦＩＤリーダー（読取り装置）
８０      表示装置（報知装置）
１００    格納容器（切替装置）
１２０    表示機構（標識体）
１２８    回転用操作面
１２２    ＲＦＩＤタグ
１４０    表示機構内内部隔壁（閉塞体、遮断体）
１２４    目視用表示（表示）
１３０    容器本体（格納体、遮断体）
１３２    遮断領域
１３４    開口
２００    格納容器（切替装置）
２２０    押しボタン（標識体）
２２２    ＲＦＩＤタグ
２３０    容器本体（格納体、遮断体）
２２６    手前面（閉塞体、遮断体）
２２８    奥面（閉塞体、遮断体）
２４２    表示
３００    格納容器（切替装置）
３２０    ＲＦＩＤタグ
３４０    シャッター（閉塞体、遮断体）
３３６    シャッター用レール
３２０    奥板（標識体）
３２４    目視用表示（表示）
３３０    容器本体（格納体、遮断体）
３３２    遮断領域
３３４    開口
３４２    表示
４００    格納容器（切替装置）
４４４    つまみ
４５２ａ  閂の露出部分
４５２ｂ  閂の非露出部分
４２２    ＲＦＩＤタグ
４４０    シャッター（閉塞体、遮断体）
４２０    奥板（標識体）
４５４    閂とシャッターの接合部
４３０    容器本体（格納体、遮断体）
４３２    遮断領域
４３４    開口
４５０    施錠装置
４５２    閂（進退部）
４６０    報知システム
４８０    表示装置（報知装置）
５００    格納容器（切替装置）
５２０    回転体（標識体）
５２２    ＲＦＩＤタグ
５２４    表示
５３０    容器本体（格納体、遮断体）
５３２    遮断領域
５３４    開口
５４０    閉塞体
５４２    表示
５５０    施錠装置
５５２    フック体（係止体）
６００    格納容器（切替装置）
６２０    状態表示部（標識体）
６２２    ＲＦＩＤタグ
６３０ａ  容器本体（格納体、遮断体）
６３０ｂ  回転部（格納体、遮断体
６５０    施錠装置
６５２    フック体（係止体）
【図１】
2019108782.tif 000003
【図２】
2019108782.tif 000004
【図３】
2019108782.tif 000005
【図４】
2019108782.tif 000006
【図５】
2019108782.tif 000007
【図６】
2019108782.tif 000008
【図７】
2019108782.tif 000009
【図８】
2019108782.tif 000010
【図９】
2019108782.tif 000011
【図１０】
2019108782.tif 000012
【図１１】
2019108782.tif 000013
【図１２】
2019108782.tif 000014
【図１３】
2019108782.tif 000015